(57)【要約】【課題】情報の記録再生の信頼性に優れた情報記録媒体を提供すること。【解決手段】情報記憶媒体は、管理情報を記録するための管理領域を備え、前記管理領域は、複数の管理ブロックを含み、所定数の管理ブロックの集まりにより１セットが定義され、前記管理領域中には複数のセットが定義され、管理情報の記録処理に対応して、前記複数のセットの中のａ番目（ａ：自然数）のセットは、第１の管理情報を記憶し、管理情報の更新処理に対応して、前記複数のセットの中のａ＋１番目のセットは、更新された第２の管理情報を記憶し、前記複数のセットの中のａ＋ｎ番目（ｎ：自然数）のセットに記録された第３の管理情報の読み取り特性が所定の基準に満たない場合のディフェクト処理に対応して、前記複数のセットの中のａ＋ｎ＋１番目のセットは、前記ａ＋ｎ番目のセットがディフェクトであることを示すディフェクト情報を含む第４の管理情報を記憶する。【選択図】図１６
2008243298.tif 000002
【特許請求の範囲】
【請求項１】
情報記憶媒体に対して情報を記録する情報記録装置であって、
前記情報記憶媒体は、管理情報を記録するための管理領域を備え、前記管理領域は、複数の管理ブロックを含み、所定数の管理ブロックの集まりにより１セットが定義され、前記管理領域中には複数のセットが定義され、
前記情報記録装置は、
情報を記録する記録手段と、
情報の読み取り特性に基づきディフェクトを検出するディフェクト検出手段と、
を備え、
前記記録手段は、
管理情報の記録処理に対応して、前記複数のセットの中のａ番目（ａ：自然数）のセットに対して、第１の管理情報を記録し、
管理情報の更新処理に対応して、前記複数のセットの中のａ＋１番目のセットに対して、更新された第２の管理情報を記録し、
前記複数のセットの中のａ＋ｎ番目（ｎ：自然数）のセットに記録された第３の管理情報の読み取り特性が所定の基準に満たない場合のディフェクト処理に対応して、前記複数のセットの中のａ＋ｎ＋１番目のセットに対して、前記ａ＋ｎ番目のセットがディフェクトであることを示すディフェクト情報を含む第４の管理情報を記録する、
ことを特徴とする情報記録装置。
【請求項２】
前記情報記憶媒体は、前記管理情報の記録位置を示す索引情報を記録するための索引領域を備え、前記索引領域は、複数の索引ブロックを含み、
前記記録手段は、
管理情報の記録処理に対応して、前記複数のセットの中のａ＋ｍ番目（ｍ：自然数）のセットに対して、第５の管理情報を記録し、
前記複数の索引ブロックの中のｂ番目（ｂ：自然数）の索引ブロックに記録された第１の索引情報の読み取り特性が所定の基準に満たない場合のディフェクト処理に対応して、前記複数のセットの中のａ＋ｍ＋１番目のセットに対して、前記ｂ番目の索引ブロックがディフェクトであることを示すディフェクト情報を含む第６の管理情報を記録し、
さらに前記複数の索引ブロックの中のｂ＋１番目の索引ブロックに対して、前記第６の管理情報に対応する第２の索引情報を記録する、
ことを特徴とする請求項１に記載の情報記録装置。
【請求項３】
前記記録手段は、
前記複数のセットの中の前記ａ＋ｎ番目のセットに含まれる複数の管理ブロックの夫々に対して、前記第３の管理情報を記録し、
前記ａ＋ｎ番目のセットに含まれる複数の管理ブロックの少なくとも一つの管理ブロックに記憶された前記第３の管理情報の読み取り特性が所定の基準に満たない場合のディフェクト処理に対応して、前記複数のセットの中のａ＋ｎ＋１番目のセットに含まれる複数の管理ブロックの夫々に対して、前記ａ＋ｎ番目のセットがディフェクトであることを示すディフェクト情報を含む前記第４の管理情報を記録する、
ことを特徴とする請求項１に記載の情報記録装置。
【請求項４】
前記記録手段は、
フォーマット処理の開始に対応して、前記複数のセットの中のａ＋ｘ番目（ｘ：自然数）のセットに対して、フォーマットの処理中であることを示す情報、及びフォーマット処理の種類を示す情報を含むフォーマット処理開始対応の管理情報を記録し、
フォーマット処理の終了に対応して、前記複数のセットの中のａ＋ｙ番目（ｙ：自然数）のセットに対して、前記情報記憶媒体の記録状態を示す情報を含むフォーマット処理終了対応の管理情報を記録する、
ことを特徴とする請求項１に記載の情報記録装置。
【請求項５】
前記記録手段は、
複数回のフォーマットの連続処理における最初のフォーマット処理に対応して、前記複数のセットの中のａ＋ｘ番目（ｘ：自然数）のセットに対して、フォーマットの処理中であることを示す情報、及び最後のフォーマット処理の種類を示す情報を含む最初のフォーマット処理対応の管理情報を記録し、
複数回のフォーマットの連続処理における最後のフォーマット処理に対応して、前記複数のセットの中のａ＋ｙ番目（ｙ：自然数）のセットに対して、前記情報記憶媒体の記録状態を示す情報を含む最後のフォーマット処理対応の管理情報を記録する、
ことを特徴とする請求項１に記載の情報記録装置。
【請求項６】
前記記録手段は、
前記フォーマット処理が管理情報もしくは索引情報の記録のみの処理である場合には、前記複数のセットの中のａ＋ｘ番目のセットに対して、前記フォーマット処理開始対応の管理情報を記録しないことを特徴とする請求項４に記載の情報記録装置。
【請求項７】
前記記録手段は、
前記複数のセットの中のａ＋ｘ番目（ｘ：自然数）のセットに対して、フォーマットの範囲を示す情報を含む管理情報を記録し、フォーマット処理中は前記フォーマットの範囲を示す情報を変更しないことを特徴とする請求項１に記載の情報記録装置。
【請求項８】
情報記憶媒体に対して情報を記録する情報記録方法であって、
前記情報記憶媒体は、管理情報を記録するための管理領域を備え、前記管理領域は、複数の管理ブロックを含み、所定数の管理ブロックの集まりにより１セットが定義され、前記管理領域中には複数のセットが定義され、
前記情報記録方法は、
管理情報の記録処理に対応して、前記複数のセットの中のａ番目（ａ：自然数）のセットに対して、第１の管理情報を記録し、
管理情報の更新処理に対応して、前記複数のセットの中のａ＋１番目のセットに対して、更新された第２の管理情報を記録し、
前記複数のセットの中のａ＋ｎ番目（ｎ：自然数）のセットに記録された第３の管理情報の読み取り特性が所定の基準に満たない場合のディフェクト処理に対応して、前記複数のセットの中のａ＋ｎ＋１番目のセットに対して、前記ａ＋ｎ番目のセットがディフェクトであることを示すディフェクト情報を含む第４の管理情報を記録する、
ことを特徴とする情報記録方法。
【請求項９】
前記情報記憶媒体は、前記管理情報の記録位置を示す索引情報を記録するための索引領域を備え、前記索引領域は、複数の索引ブロックを含み、
管理情報の記録処理に対応して、前記複数のセットの中のａ＋ｍ番目（ｍ：自然数）のセットに対して、第５の管理情報を記録し、
前記複数の索引ブロックの中のｂ番目（ｂ：自然数）の索引ブロックに記録された第１の索引情報の読み取り特性が所定の基準に満たない場合のディフェクト処理に対応して、前記複数のセットの中のａ＋ｍ＋１番目のセットに対して、前記ｂ番目の索引ブロックがディフェクトであることを示すディフェクト情報を含む第６の管理情報を記録し、
さらに前記複数の索引ブロックの中のｂ＋１番目の索引ブロックに対して、前記第６の管理情報に対応する第２の索引情報を記録する、
ことを特徴とする請求項８に記載の情報記録方法。
【請求項１０】
前記複数のセットの中の前記ａ＋ｎ番目のセットに含まれる複数の管理ブロックの夫々に対して、前記第３の管理情報を記録し、
前記ａ＋ｎ番目のセットに含まれる複数の管理ブロックの少なくとも一つの管理ブロックに記憶された前記第３の管理情報の読み取り特性が所定の基準に満たない場合のディフェクト処理に対応して、前記複数のセットの中のａ＋ｎ＋１番目のセットに含まれる複数の管理ブロックの夫々に対して、前記ａ＋ｎ番目のセットがディフェクトであることを示すディフェクト情報を含む前記第４の管理情報を記録する、
ことを特徴とする請求項８に記載の情報記録方法。
【請求項１１】
フォーマット処理の開始に対応して、前記複数のセットの中のａ＋ｘ番目（ｘ：自然数）のセットに対して、フォーマットの処理中であることを示す情報、及びフォーマット処理の種類を示す情報を含むフォーマット処理開始対応の管理情報を記録し、
フォーマット処理の終了に対応して、前記複数のセットの中のａ＋ｙ番目（ｙ：自然数）のセットに対して、前記情報記憶媒体の記録状態を示す情報を含むフォーマット処理終了対応の管理情報を記録する、
ことを特徴とする請求項８に記載の情報記録方法。
【請求項１２】
複数回のフォーマットの連続処理における最初のフォーマット処理に対応して、前記複数のセットの中のａ＋ｘ番目（ｘ：自然数）のセットに対して、フォーマットの処理中であることを示す情報、及び最後のフォーマット処理の種類を示す情報を含む最初のフォーマット処理対応の管理情報を記録し、
複数回のフォーマットの連続処理における最後のフォーマット処理に対応して、前記複数のセットの中のａ＋ｙ番目（ｙ：自然数）のセットに対して、前記情報記憶媒体の記録状態を示す情報を含む最後のフォーマット処理対応の管理情報を記録する、
ことを特徴とする請求項８に記載の情報記録方法。
【請求項１３】
前記フォーマット処理が管理情報もしくは索引情報の記録のみの処理である場合には、前記複数のセットの中のａ＋ｘ番目のセットに対して、前記フォーマット処理開始対応の管理情報を記録しないことを特徴とする請求項１１に記載の情報記録方法。
【請求項１４】
前記複数のセットの中のａ＋ｘ（ｘ：自然数）番目のセットに対して、フォーマットの範囲を示す情報を含む管理情報を記録し、フォーマット処理中は前記フォーマットの範囲を示す情報を変更しないことを特徴とする請求項８に記載の情報記録方法。
【請求項１５】
管理情報を記録するための管理領域を備え、
前記管理領域は、複数の管理ブロックを含み、
所定数の管理ブロックの集まりにより１セットが定義され、
前記管理領域中には複数のセットが定義され、
管理情報の記録処理に対応して、前記複数のセットの中のａ番目（ａ：自然数）のセットは、第１の管理情報を記憶し、
管理情報の更新処理に対応して、前記複数のセットの中のａ＋１番目のセットは、更新された第２の管理情報を記憶し、
前記複数のセットの中のａ＋ｎ番目（ｎ：自然数）のセットに記録された第３の管理情報の読み取り特性が所定の基準に満たない場合のディフェクト処理に対応して、前記複数のセットの中のａ＋ｎ＋１番目のセットは、前記ａ＋ｎ番目のセットがディフェクトであることを示すディフェクト情報を含む第４の管理情報を記憶することを特徴とする情報記憶媒体。
【請求項１６】
前記管理情報の記録位置を示す索引情報を記録するための索引領域を備え、
前記索引領域は、複数の索引ブロックを含み、
管理情報の記録処理に対応して、前記複数のセットの中のａ＋ｍ番目（ｍ：自然数）のセットは、第５の管理情報を記憶し、
前記複数の索引ブロックの中のｂ番目（ｂ：自然数）の索引ブロックに記録された第１の索引情報の読み取り特性が所定の基準に満たない場合のディフェクト処理に対応して、前記複数のセットの中のａ＋ｍ＋１番目のセットは、前記ｂ番目の索引ブロックがディフェクトであることを示すディフェクト情報を含む第６の管理情報を記憶し、さらに前記複数の索引ブロックの中のｂ＋１番目の索引ブロックが前記第６の管理情報に対応する第２の索引情報を記憶することを特徴とする請求項１５に記載の情報記憶媒体。
【請求項１７】
前記複数のセットの中の前記ａ＋ｎ番目のセットに含まれる複数の管理ブロックの夫々は、前記第３の管理情報を記憶し、前記ａ＋ｎ番目のセットに含まれる複数の管理ブロックの少なくとも一つの管理ブロックに記憶された前記第３の管理情報の読み取り特性が所定の基準に満たない場合のディフェクト処理に対応して、前記複数のセットの中のａ＋ｎ＋１番目のセットに含まれる複数の管理ブロックの夫々は、前記ａ＋ｎ番目のセットがディフェクトであることを示すディフェクト情報を含む前記第４の管理情報を記憶することを特徴とする請求項１５に記載の情報記憶媒体。
【請求項１８】
フォーマット処理の開始に対応して、前記複数のセットの中のａ＋ｘ番目（ｘ：自然数）のセットは、フォーマットの処理中であることを示す情報、及びフォーマット処理の種類を示す情報を含むフォーマット処理開始対応の管理情報を記憶し、
フォーマット処理の終了に対応して、前記複数のセットの中のａ＋ｙ番目（ｙ：自然数）のセットは、情報記憶媒体の記録状態を示す情報を含むフォーマット処理終了対応の管理情報を記憶することを特徴とする請求項１５に記載の情報記憶媒体。
【請求項１９】
複数回のフォーマットの連続処理における最初のフォーマット処理に対応して、前記複数のセットの中のａ＋ｘ番目（ｘ：自然数）のセットは、フォーマットの処理中であることを示す情報、及び最後のフォーマット処理の種類を示す情報を含む最初のフォーマット処理対応の管理情報を記憶し、
複数回のフォーマットの連続処理における最後のフォーマット処理に対応して、前記複数のセットの中のａ＋ｙ番目（ｙ：自然数）のセットは、情報記憶媒体の記録状態を示す情報を含む最後のフォーマット処理対応の管理情報を記憶することを特徴とする請求項１５に記載の情報記憶媒体。
【請求項２０】
前記フォーマット処理が管理情報もしくは索引情報の記録のみの処理である場合には、前記複数のセットの中のａ＋ｘ番目のセットは、前記フォーマット処理開始対応の管理情報を記憶しないことを特徴とする請求項１８に記載の情報記憶媒体。
【請求項２１】
フォーマット処理中に、前記複数のセットの中のａ＋ｘ番目（ｘ：自然数）のセットは、フォーマット処理の期間は固定されたフォーマットの範囲を示す情報を含む管理情報を記憶することを特徴とする請求項１５に記載の情報記憶媒体。
【請求項２２】
請求項１６に記載の情報記憶媒体から情報を再生する情報再生装置であって、
前記索引情報を再生する再生手段と、
前記索引情報に基づき最新の前記管理情報を選択する選択手段と、
を備えたことを特徴とする情報再生装置。
【請求項２３】
請求項１６に記載の情報記憶媒体から情報を再生する情報再生方法であって、
前記索引情報を再生し、
前記索引情報に基づき最新の前記管理情報を選択する、
ことを特徴とする情報再生方法。
【発明の詳細な説明】
【技術分野】
【０００１】
この発明は、記録可能な情報記録媒体、及びその情報記録媒体を用いた情報記録再生装置、情報記録再生方法に関する。
【背景技術】
【０００２】
映像信号等の大量な情報を記録できる記録媒体として、ＤＶＤ（デジタル・バーサタイル・ディスク）が普及している。これにより、２時間程度の映画をＤＶＤに記録し、再生装置により情報を再生することにより家庭で自由に映画を見ることができるようになった。また、記録型のＤＶＤは追記や書き換えが可能であり、複数の番組を一枚のディスクに記録することも可能になっている。ここで、書換え型の記録媒体においては、ユーザデータの記録状態を管理するために記録マネジメント情報を保持する必要があり、データ領域の内周側等に記録マネジメント情報を記録するための記録可能管理領域がそれぞれ設けられている。さらに、記録した記録マネジメント情報がディフェクトとなり、読み取りが不可能になる場合があるため、記録マネジメント情報の交代処理が実施されている。
【０００３】
例えば特許文献１では図３、図２０とその説明文に示されるように、光ディスク（ＤＶＤ−ＲＷ）の記録可能管理領域（Ｒｅｃｏｒｄｉｎｇ  ｍａｎｅｇｅｍｅｎｔ  ａｒｅａ）における記録マネジメント情報を更新する光ディスク装置に関する技術、記録可能管理領域にディフェクトが発生した場合に、記録マネジメント情報の交代処理を実施する光ディスク装置に関する技術が開示されている。ここでは、記録マネジメント情報の交代処理をすることにより、光ディスクへの情報の記録再生の信頼性を高めることを可能としている。
【特許文献１】特開２００６−２６８９４８
【発明の開示】
【発明が解決しようとする課題】
【０００４】
しかしながら、特許文献１の従来技術では、記録可能管理領域に集中して形成されたインデック領域が存在しないため、管理情報の交代処理が発生した光ディスクの再生を実施する場合、最新の管理情報を正確に、素早く検索するのが困難である。
【０００５】
本発明は、情報の記録再生の信頼性が高く、記録再生処理速度の速い情報記録媒体、その情報記録媒体を処理する情報記録装置、情報記録方法、情報再生装置、及び情報再生方法を提供することを目的とする。
【課題を解決するための手段】
【０００６】
この発明の情報記録媒体、情報記録装置、情報記録方法、情報再生装置、及び情報再生方法は、以下のように構成されている。
【０００７】
（１）この発明の一例の情報記録装置は、情報記憶媒体に対して情報を記録する情報記録装置であって、
前記情報記憶媒体は、管理情報を記録するための管理領域を備え、前記管理領域は、複数の管理ブロックを含み、所定数の管理ブロックの集まりにより１セットが定義され、前記管理領域中には複数のセットが定義され、
前記情報記録装置は、情報を記録する記録手段と、情報の読み取り特性に基づきディフェクトを検出するディフェクト検出手段と、を備え、前記記録手段は、管理情報の記録処理に対応して、前記複数のセットの中のａ番目（ａ：自然数）のセットに対して、第１の管理情報を記録し、管理情報の更新処理に対応して、前記複数のセットの中のａ＋１番目のセットに対して、更新された第２の管理情報を記録し、前記複数のセットの中のａ＋ｎ番目（ｎ：自然数）のセットに記録された第３の管理情報の読み取り特性が所定の基準に満たない場合のディフェクト処理に対応して、前記複数のセットの中のａ＋ｎ＋１番目のセットに対して、前記ａ＋ｎ番目のセットがディフェクトであることを示すディフェクト情報を含む第４の管理情報を記録する。
【０００８】
（２）この発明の一例の情報記録方法は、情報記憶媒体に対して情報を記録する情報記録方法であって、
前記情報記憶媒体は、管理情報を記録するための管理領域を備え、前記管理領域は、複数の管理ブロックを含み、所定数の管理ブロックの集まりにより１セットが定義され、前記管理領域中には複数のセットが定義され、
前記情報記録方法は、管理情報の記録処理に対応して、前記複数のセットの中のａ番目（ａ：自然数）のセットに対して、第１の管理情報を記録し、管理情報の更新処理に対応して、前記複数のセットの中のａ＋１番目のセットに対して、更新された第２の管理情報を記録し、前記複数のセットの中のａ＋ｎ番目（ｎ：自然数）のセットに記録された第３の管理情報の読み取り特性が所定の基準に満たない場合のディフェクト処理に対応して、前記複数のセットの中のａ＋ｎ＋１番目のセットに対して、前記ａ＋ｎ番目のセットがディフェクトであることを示すディフェクト情報を含む第４の管理情報を記録する。
【０００９】
（３）この発明の一例の情報記憶媒体は、管理情報を記録するための管理領域を備え、
前記管理領域は、複数の管理ブロックを含み、所定数の管理ブロックの集まりにより１セットが定義され、前記管理領域中には複数のセットが定義され、管理情報の記録処理に対応して、前記複数のセットの中のａ番目（ａ：自然数）のセットは、第１の管理情報を記憶し、管理情報の更新処理に対応して、前記複数のセットの中のａ＋１番目のセットは、更新された第２の管理情報を記憶し、前記複数のセットの中のａ＋ｎ番目（ｎ：自然数）のセットに記録された第３の管理情報の読み取り特性が所定の基準に満たない場合のディフェクト処理に対応して、前記複数のセットの中のａ＋ｎ＋１番目のセットは、前記ａ＋ｎ番目のセットがディフェクトであることを示すディフェクト情報を含む第４の管理情報を記憶する。
【００１０】
（４）この発明の一例の情報再生装置は、上記（３）に記載の情報記憶媒体から情報を再生する情報再生装置であって、前記索引情報を再生する再生手段と、前記索引情報に基づき最新の前記管理情報を選択する選択手段とを備えている。
【００１１】
（５）この発明の一例の情報再生方法は、上記（３）に記載の情報記憶媒体から情報を再生する情報再生方法であって、前記索引情報を再生し、前記索引情報に基づき最新の前記管理情報を選択する。
【発明の効果】
【００１２】
本発明によれば、情報の記録再生の信頼性が高く、記録再生処理速度の速い情報記録媒体、その情報記録媒体を処理する情報記録装置、情報記録方法、情報再生装置、及び情報再生方法を提供できる。
【発明を実施するための最良の形態】
【００１３】
以下、図面を参照し、本発明の実施形態について説明する。
【００１４】
＜光ディスク装置１２＞
図１に本発明の実施形態の一つである光ディスク装置１２のブロック図を示す。光ディスク装置１２は、光ディスク１１等の情報記憶媒体に対して情報を記録したり、またこの情報記憶媒体に記録された情報を再生したりする情報記録再生装置である。光ディスク装置１２は、光学ヘッド（ピックアップヘッド：ＰＵＨ）アクチュエータ２１から出射されるレーザ光を光ディスク１１の情報記録層に集光することで、情報の記録再生を行っている。光ディスク１１から反射した光は、再び、ＰＵＨアクチュエータ２１の光学系を通過し、フォトディテクター（ＰＤ）２２で電気信号として検出する。検出された電気信号は、プリアンプ２３で増幅され、サーボ回路２４、ＲＦ信号処理回路２７、アドレス信号処理回路２８に出力される。サーボ回路２４では、フォーカス、トラッキング、チルト等のサーボ信号が生成され、各信号がそれぞれ、ＰＵＨ／アクチュエータ（フォーカス、トラッキング、チルトアクチュエータ）２１に出力される。
【００１５】
ＲＦ信号処理回路２７、アドレス信号処理回路２８における記録されたデータの読み取りや、アドレス信号等のこの際の復調方法としては、スライス方式やＰＲＭＬ（Partial Response Maximum Likelihood）方式がある。光ディスク装置１２は記録再生の対象となる光ディスク１１とＰＵＨアクチュエータ２１によって形成される集光ビームスポットのサイズによって最適な復調方式を選択する。スライス方式には、再生信号に線形な波形等化を行った後に信号を２値化する方法や、再生信号の低域の高振幅成分を一定の値に制限するリミットイコライザと呼ばれる非線形等化器によって等化した後に信号を２値化する方法などがある。
【００１６】
また、ＰＲＭＬ方式に関しても、再生信号の周波数特性に対応して、最適なＰＲクラス例えば、ＰＲ（１，２，２，２１）や、ＰＲ（１，２，１）、ＰＲ（１，２，２，１）、ＰＲ（３，４，４，３）等が選択される。アドレス信号処理回路２８では、検出された信号を処理することにより、光ディスク１１上の記録位置を示す物理アドレス情報を読み出し、コントローラ２９に出力する。コントローラ２９はこのアドレス情報を元に、所望の位置のユーザデータ等のデータを読み出したり、所望の位置にデータを記録したりする記録制御機能を有している。この際、データは記録信号処理回路２６で光ディスク記録に適した記録波形制御信号に変調される。この信号を元にＬＤ駆動回路（ＬＤＤ）２５は光学ヘッド（ＰＵＨ）内のレーザダイオード（ＬＤ）を発光させ、光ディスク１１に情報を記録する。
【００１７】
また、本実施形態ではＬＤの波長は４０５±１５ｎｍである。また、ＰＵＨ内で上記波長の光を光ディスク１１上に集光させるために用いられる対物レンズのＮＡ値は０．６５である。また、対物レンズに入射する直前の入射光の強度分布として、中心強度を“１”とした時の対物レンズ周辺（開口部境界位置）での相対的な強度を“ＲＩＭIntensity”と呼ぶ。ＨＤ ＤＶＤフォーマットにおけるＲＩＭ  Intensityの値は５５〜７０％になるように設定してある。この時の光学ヘッド２２内での波面収差量は使用波長λに対して最大０．３３λ（０．３３λ以下）になるように光学設計されている。
【００１８】
さらに、コントローラ２９は、記録制御機能、フォーマット機能、及びディフェクト処理機能の実行を制御する。つまり、コントローラ２９により実行される記録制御機能により、光ディスク１１に対して管理情報が記録されたり、管理情報の内容が変更又は更新されたりする。また、コントローラ２９により実行される記録制御機能により、光ディスク１１に対して索引情報が記録されたり、索引情報の内容が変更又は更新されたりする。また、コントローラ２９により実行されるフォーマット機能により、光ディスク１１に設けられたさまざまな領域に対して適切な情報が記録され、光ディスク１１がフォーマットされる。また、コントローラ２９により実行されるディフェクト処理機能により、光ディスク１１に記録された管理情報のディフェクトが検出され、ディフェクト検出に基づき管理情報が交代処理される。
【００１９】
このように、本発明の光ディスク装置１２は後述の管理情報及び索引情報の交代処理やフォーマット処理の手順を実現する機能を有している。
【００２０】
また、コントローラ２９は、さらに再生した管理情報、索引情報の処理機能を有しており、管理情報や索引情報に保存されたシリアル番号やディフェクト情報から最新の管理情報を決定（選択）することが可能である。また、フォーマット処理に関する情報から、フォーマット処理の状態、完了しているか否か、中断されたか否か等を判定することができる。
【００２１】
＜光ディスク＞
次に、本発明に係る情報記録装置が扱う光ディスク１１について、以下に詳細に説明する。図２に本発明の実施形態の一つである光ディスク１１の模式図を示す。本ディスクは図２に示すように、中心にチャッキング用のクランプ孔３１が設けられており、１つ以上の情報記録層（以下レイヤーと称する）を有している。ここで、光の入射面に最も近い側をレイヤー０（Ｌ０）、奥側をレイヤー１（Ｌ１）とする。図示しないが、さらにレイヤーが増えた場合には、レイヤー１の奥側の層をレイヤー２とする。レイヤーが一つの光ディスクは単層光ディスク、二つの光ディスクは２層光ディスクと呼ぶ。それぞれのレイヤーで情報領域のレイアウトは若干異なっている。また、本発明のディスク１１には、記録マークを一箇所に一回だけ可能な追記型と記録マークの上書き、消去が可能な書き換え型の２種類がある。
【００２２】
＜光ディスクのフォーマット＞
図３に本発明の光ディスク１１のエンボス領域と記録可能領域の物理仕様を示す。記録可能領域には記録可能管理領域、データ領域が含まれる。ここでは、基準データ転送速度、光入射側ディスク基板厚さ、トラックピッチ、最短マーク長、回転制御方式、記録符号化方式が、エンボス、記録可能領域について、それぞれ記載されている。本発明の光ディスクでは、エンボス領域のトラックピッチとマーク長が
回転制御方式のＣＬＶとはConstant liner velocityの略で、線方向の速度を一定に保った回転制御方法を意味している。また、ＥＴＭ（Eight to Twelve modulation）とは変調方式の一つで、８ビットの情報ビットごとに、冗長性を持たせた１２ビットのチャネルビットに変換して信号を記録する方式である。この冗長性を持たせたことにより、直接情報ビットを光ディスク１１に記録する場合に比べ情報の記録再生の信頼度が飛躍的に向上している。
【００２３】
＜情報エリアのレイアウト＞
図４（ａ）に２層光ディスクの各レイヤーのレイアウトを示す。ここで、レイヤー０及びレイヤー１はほぼ同じ構成で領域が分割されている。ただし、ＢＣＡ（Burst cutting area）領域に関しては、レイヤー０もしくはレイヤー１のいずれかの領域のみに配置される。これは、ＢＣＡ領域からの情報の読み出しを安定化するためである。ＢＣＡ領域の信号の記録に用いられるＢＣＡマークは層間のクロストークが大きいため、ＢＣＡ領域を２つのレイヤーに用いると、相互の信号の干渉が発生し、情報の読みだしが困難になる。
【００２４】
レイヤーの領域の構成は内周側からＢＣＡ領域、エンボス管理領域、内周記録可能管理領域、データ領域、外周記録可能管理領域に区分されている。ここで、レイヤー０のエンボス管理領域と内周記録可能管理領域はリードイン領域、レイヤー０及び１の外周記録可能管理領域はミドル領域、レイヤー１のエンボス管理領域と内周記録可能管理領域はリードアウト領域とも呼ばれる。
【００２５】
ＢＣＡ領域には、基板の溝や、反射膜の剥離、記録媒体の変化によってＢＣＡマークがあらかじめ記録されている。ＢＣＡマークは光ディスク１１の円周方向に変調されており、半径方向には同一の情報が並ぶ櫛型のマークである。ＢＣＡコードは、ＲＺ変調方法により変調されて記録される。パルス幅が狭い（＝反射率の低い）パルスは、この変調されたＢＣＡコードのチャネルクロック幅の半分よりも狭い必要が有る。また、ＢＣＡマークは半径方向に同一の形状を持っているため、トラッキングをかける必要がなく、フォーカスをかけただけで情報の再生が可能となる。
【００２６】
エンボス管理領域にはエンボスピットで情報が記録されている。この情報は、ディスクの識別情報やデータ領域の容量といった、光ディスク１１の管理情報である。また、この領域のエンボスピットの最短マーク長はデータ領域の倍の値になっている。この結果、通常のデータ領域はＰＲＭＬ方式を用いて再生されるが、エンボス管理領域においては、スライス方式を用いても情報の復調が可能となるほか、情報の読み取りの信頼性が高くなるという特徴がある。エンボス管理領域には、ディスクの情報読み出しの基本となる管理情報や、コピー権マネジメントの情報等が記録されるため、エンボス管理領域の読み取り信頼性を高めることは重要である。
【００２７】
次に記録可能管理領域には、データ領域と同じように、案内溝であるグルーブが形成されている。この領域には、データ領域と同じ密度で信号の記録の記録を行う。この領域には、試し書き領域や、データ領域の記録状態を把握するためのマネジメント領域、ＤＰＤトラッキング用のトラッキングオーバーラン領域、層間のクロストーク量を一定に保つためのガード領域等が配置される。
【００２８】
データ領域には、映像データやユーザデータといったデータ等が記録される。
【００２９】
図４（ｂ）にはレイヤーが単層光ディスクのレイアウトを示す。レイヤーが１層の場合、エンボス管理領域と内周記録可能管理領域がリードイン領域、外周記録可能管理領域がリードアウト領域と呼ばれる。
【００３０】
＜詳細レイアウト＞
図５に本発明の実施形態の一つである２層光ディスクの記録可能領域の詳細なレイアウトの一例を示す。レイヤー０の内周側記録可能管理領域には、内側から、第１ブランク領域Ｚ１、ガードトラック領域Ｚ２、ドライブテスト領域Ｚ３、ディスクテスト領域Ｚ４、第２ブランク領域Ｚ５、記録マネジメント情報複製領域Ｚ６、記録マネジメント領域Ｚ７、Ｒ物理フォーマット情報領域Ｚ８、リファレンスコード領域Ｚ９が設定されている。
【００３１】
レイヤー１の内周側記録可能管理領域には、内側から第５ブランク領域Ｚ２３、ディスクテスト領域Ｚ２２、ドライブテスト領域Ｚ２１、ガードトラック領域Ｚ２０が配置されている。
【００３２】
ブランク領域は境界を分離することや、記録領域の層間のクロストーク量を一定にする目的で配置されたデータをまったく記録しない領域である。この記録領域の層間のクロストーク量を一定にする領域をクリアランスとも呼ぶ。ガード領域は、ＤＰＤトラッキングのオーバーラン対策や層間クロストーク対策の為に、ダミーデータが記録される領域である。テスト領域は、光ディスク１１に管理情報やユーザ情報を記録する前に、記録波形を最適化するための試し書きをする領域である。マネジメント領域及びマネジメント情報複製領域は、データ領域に記録中のデータの状態を管理するためのマネジメント情報が記録される領域である。
【００３３】
レイヤー０のテスト領域Ｚ１２，Ｚ１３はエンボス管理領域のクロストークを避けるため、エンボス管理領域からクリアランス（第１ブランク領域Ｚ１）の分だけ離れた位置に配置されている。そして、レイヤー０のテスト領域Ｚ３，Ｚ４とマネジメント領域Ｚ６，Ｚ７は狭いブランク領域Ｚ５をはさんで近接して配置されており、これらの領域はレイヤー１のガード領域Ｚ２０と重なるように設けられている。そして、レイヤー１のガード領域Ｚ２０は、レイヤー０のテスト領域Ｚ３，Ｚ４の幅とマネジメント領域Ｚ６、Ｚ７の幅の合計に対して、両側のクリアランスの分だけ広い幅となっている。一方、レイヤー１のテスト領域Ｚ２１，Ｚ２２は、レイヤー０のガード領域Ｚ２と重なるように設けられており、両側のクリアランスの分だけレイヤー０のガード領域Ｚ２より幅が狭くなっている。
【００３４】
ここで、光ディスク装置１２はガード領域Ｚ２に対しては、ユーザデータの記録とは関係なく、均一にダミーデータの記録をしたり、未記録のまま保持したりしておく。このように本発明に係る光ディスク装置１２では、テスト領域Ｚ２１，Ｚ２２とマネジメント領域Ｚ６，Ｚ７と重なる反対の層の状態が常に、記録状態か、未記録状態の一定の状態とすることで、安定した試し書きや、マネジメント情報の記録が可能になるという特徴がある。
【００３５】
次に、レイヤー０の外周側記録可能管理領域には内側からガード領域Ｚ１１、ドライブテスト領域Ｚ１２、ディスクテスト領域Ｚ１３、ブランク領域Ｚ１４が配置される。同様に、レイヤー１の外周側記録可能管理領域には内側からガード領域Ｚ１８、ドライブテスト領域Ｚ１７、ディスクテスト領域Ｚ１６、ブランク領域Ｚ１５が配置される。
【００３６】
ここでも内周側と同様に、テスト領域Ｚ２１，Ｚ２２と重なる反対側のレイヤーにはガード領域Ｚ２が配置されており、ガード領域Ｚ２の幅はテスト領域の幅の両側にクリアランスの幅を設けた幅よりも広くなっている。
【００３７】
図６に本発明の実施形態の一つである単層光ディスクの記録可能領域の詳細なレイアウトの一例を示す。各領域の目的や使用方法は２層光ディスクと同様である。内周側記録可能管理領域には、内側から、ガードトラック領域Ｙ１、ディスクテスト領域Ｙ２、ドライブテスト領域Ｙ３、ガード領域Ｙ４、記録マネジメント情報複製領域Ｙ５、記録マネジメント領域Ｙ６、Ｒ物理フォーマット情報領域Ｙ７、リファレンスコード領域Ｙ８が設定されている。外周側記録可能管理領域には内側からガード領域Ｙ１０、ドライブテスト領域Ｙ１１、ディスクテスト領域Ｙ１２、ガード領域Ｙ１３が設定されている。
【００３８】
＜記録可能管理領域の構成＞
図７に記録マネジメント情報複製領域と記録マネジメント領域、及びＲ物理フォーマット情報領域の構成を示す。記録マネジメント情報複製領域の最初のブロックにはリードイン記録マネジメント情報（ＲＤＺリードイン）が記録される。次に、マネジメント領域の次の７ブロックには記録マネジメント情報（ＲＭＤ）を記録する領域が割り当てられている。１つのＲＭＤは３２の物理セクタで構成された１つのＰＳブロックに保存される。また、各物理セクタには物理セクタ番号（ＰＳＮ）というアドレスが設定されている。記録マネジメント複製領域にはこのＲＭＤが順次記録される。ここで、ＲＤＺリードインは光ディスク装置１２が記録マネジメント複製領域に最初にデータを記録する際に記録する情報である。この中には図８に示すように、記録を行う光ディスク装置１２の製造会社の識別番号である記録再生装置製造会社識別番号や、その装置のシリアル番号、モデル番号、ファームウエアバージョン番号が記録される。ディスク固有番号にはディスク識別用にディスク毎に固有な番号を光ディスク装置１２が記録する。
【００３９】
記録マネジメント情報複製領域には、記録マネジメント領域が拡張された場合やファイナライズされた場合、ディスクが光ディスク装置１２から取り出された場合などに、記録マネジメント領域に記録した最新のＲＭＤの複製を記録しておく。本実施例では、記録マネジメント情報複製領域には、#０から#６番までの7つのＲＭＤの複製を保存しておくことが可能である。
【００４０】
記録マネジメント領域にはデータ領域の記録状態を表す記録マネジメント情報（ＲＭＤ）を１ＰＳブロック毎、もしくは数ＰＳブロックを１セットにしてデータの内容が変化する毎に逐次記録していく。ここで、追記型ディスクでは情報の上書きができないため、記録マネジメント情報の重要な内容が更新されるたびに、次の未使用ブロックに次々に情報が追記されていく。したがって、もっとも外周にある情報が最新の記録マネジメント情報ということになる。一方、書き換え型のディスクでは追記型と同様記録マネジメント情報の重要な内容が更新されるたびに、次の未使用ブロックに次々に情報を追記していくが、記録マネジメント領域の最後まで、記録が到達した場合には、再び最内周側から記録を開始する。本発明の実施例では、４つのＲＭＤを一つのセットであるＲＭＤ  ｓｅｔとして管理する。記録マネジメント領域には#０から#９７までの９８個のＲＭＤ  ｓｅｔを記録することが可能である。ＲＭＤ  ｓｅｔ内のＲＭＤはそれぞれ、後述のＲＭＤ  ｓｅｔ番号とＲＭＤオーダー番号を除いて等しい値となっており、セット内のいくつかのＲＭＤに読み取りエラーが発生しても、残りのＲＭＤから管理情報の読み出しが可能となっている。ＲＭＤ  ｓｅｔは#０から順に、内容が更新されるたびに、#１、#２と使用され、#９７の次には、#０が再び使用される。
【００４１】
このように、本発明の光ディスクでは、ＲＭＤ  ｓｅｔが管理情報として機能し、記録マネジメント情報複製領域に複製されるＲＭＤ  ｓｅｔの一部であるＲＭＤは索引情報として機能する。ＲＭＤ  ｓｅｔは光ディスクの記録状態が変更された場合や、ディフェクトが発生し、交代処理が行われた場合に、記録される位置が変化していく。従って、記録マネジメント領域には最大９７回の履歴情報が残ると言う特徴がある。一方で、９８個のＲＭＤ  ｓｅｔから最新の情報を検索するためには、時間を必要とするが、本発明の光ディスクでは、記録マネジメント情報複製領域にＲＭＤが記録されているため、最大７個のＲＭＤを再生するだけで、最新のＲＭＤ  ｓｅｔの位置が判明し、最新の情報を検索するための時間が短縮できると言う特徴がある。
【００４２】
Ｒ物理フォーマット情報領域には#０から#７までの８個の物理フォーマット情報を保存することが出来る。この８個の物理フォーマット情報の内容はすべて同じ内容である。物理フォーマット情報は、光ディスク装置１２がディスクに情報を記録する過程で、記録可能管理領域の一部であるＲ物理フォーマット情報領域に記録する情報である。ここで、データエリア構造情報及びボーダーゾーンの開始物理セクタ番号を除く情報は、エンボス管理領域にあらかじめ保存されたフォーマット情報からコピーされる。残りの情報は、データ領域の記録状態に関する情報であり、ユーザデータが物理アドレスの何番地から記録されており、何番地で終了するかが記録されている。また、終了番地が００ｈで埋められている場合には、そのディスクが再生専用機で再生可能な状態であるファイナライズ状態となっていないことを示している。再生専用機は、一般に記録マークを利用したＤＰＤという方式のトラッキング制御を行っているため、記録型ディスクの未記録領域にはアクセスできず、連続した記録マークにのみアクセス可能である。従って、記録領域の端の部分である記録マネジメント領域のアクセスは保証できず、この物理フォーマット情報が再生可能な最内周の領域となる。ここで、ファイナライズ状態とは、物理フォーマット情報に記録されたユーザデータが終了する番地まで、連続してデータが記録されており、さらにその次に連続して外周側のオーバーラン領域が記録されている状態をさしている。この状態であれば、ＤＰＤトラッキング方式を採用している再生専用機であっても、物理フォーマット情報から最後のユーザ情報までを再生することが可能となる。
【００４３】
図９（ａ）にＲ物理フォーマット情報領域に保存される、物理フォーマット情報（ＰＦＩ）の構成を示す。ＰＦＩは２０４８バイトで構成されている。ブックタイプは光ディスクのフォーマット及び再生専用、追記型、書き換え型等を示す識別子である。パートバージョンは、そのフォーマットのバージョン管理情報である。ディスクサイズにはそのディスクの直径を示す情報が記録される。例えば１２ｃｍのディスクであれば００００ｂ、８ｃｍのディスクであれば０００１ｂが記録される。最大転送レートには必要であれば、ディスクに記録されたデータを正常に再生するのに必要となる最大の転送レートが記録される。ディスク構造には、そのフォーマットのレイヤーの数、各レイヤーでトラックが内周側から外周側に向かっているか、内周側に向かっているかの極性を示す情報、そのレイヤーが再生専用であるか、追記型か、書き換え型であるかといった情報が記録される。記録密度には、ディスク接線方向の密度とトラックピッチを表す情報が記録される。データエリア構造には図９（ｂ）に示されるようにデータ領域に形成されたＲＺｏｎｅの範囲が記録される。ＢＣＡ識別子には、ＢＣＡがあるか無いかを示す情報を記録する。記録可能速度識別情報には、そのディスクに対して記録が可能な記録速度を表す情報が記録される。また、拡張パートバージョンにはパートバージョンの拡張情報を記録する。最大再生スピードには、ディスクに記録されたデータを正常に再生するのに必要となる最大の線速度が記録される。レイヤー情報にはレイヤー０及びレイヤー１に配置されたディスクの種類が記録される。
【００４４】
マーク極性情報には記録マークの反射率が未記録部に対して、高いか低いかを示す情報が記録されている。ここが００００００００ｂであれば、記録マークの反射率は未記録部より高く、ここが１０００００００ｂであれば、記録マークの反射率が未記録部よりも低いことを示す。標準速度情報には、標準の記録速度が記録される。たとえば本実施形態の光ディスク１１では６.６ｍ／ｓとなる。
【００４５】
次に、リム強度情報には、後述の記録波形情報を決定した際のＰＵＨのリム強度の値を記録する。再生パワー情報には、データ領域を再生する場合に必要な再生パワーの値を指定する。実効記録スピード情報には、そのディスクが対応可能な記録スピードの実際の値がすべて記録されている。データ領域反射率（Ｌ）にはレイヤー０のデータ領域にデータを記録した後の反射率が示されている。
【００４６】
ここで、マーク極性情報が００００００００ｂであれば、マーク部の反射率１０００００００ｂであれば、非マーク（スペース）部の反射率が記録される。次に、プッシュプル信号振幅情報（Ｌ０）にはレイヤー０のプッシュプル信号を和信号で正規化した値と、記録再生を行うトラックを示すトラック情報が記録される。トラック情報が０ｂである場合、信号の記録再生はグルーブで実施することになり１ｂである場合には、ランドで実施することになる。また、オントラック信号情報（Ｌ０）は、レイヤー０のデータ領域の未記録部の和信号レベルをエンボス管理領域の最大反射レベルで規格化した値が記録される。データ領域反射率情報（Ｌ１）からオントラック信号情報（Ｌ１）までのバイトには、レイヤー１の情報がそれぞれ記録される。
【００４７】
次に、記録波形情報（Ｌ０）及び（Ｌ１）にはそれぞれ、ディスク製造メーカが推奨するレイヤー０及びレイヤー１の最適な記録波形情報が記録される。これは、記録波形のピークパワーの値やボトムパワーの値、先頭、中間、最終パルスの開始終了位置などの値である。これらの情報は基本的に、データエリア構造を除いて、エンボス管理領域に記録されている情報と同一の情報となっている。データエリア構造については、データ領域に形成されたＲＺｏｎｅの範囲によって値が変化する。ＲＺｏｎｅはデータ領域の先頭から形成されるため、５から７バイト目にはデータ領域の開始物理セクタ番号（ＰＳＮ）が保存され、９から１０バイト目にはＲＺｏｎｅの最終の物理セクタ番号（ＰＳＮ）が保存される。１３から１５バイト目には光ディスクが２層の記録層を有するディスクである場合には、Ｌ０のＲＺｏｎｅの最終の物理セクタ番号（ＰＳＮ）が保存される。単層の場合には０データが保存される。
【００４８】
＜記録マネジメント情報の内容＞
図１０に記録マネジメント情報（ＲＭＤ）の構成を示す。記録マネジメント情報は３２セクタで構成されており、はじめのセクタであるセクタ０は、予備として、通常すべて０のデータが保存されている。また、セクタ１から順にフィールドが割り当てられている。フィールド０には、ディスクの状態やＲＭＤ自身の位置を示す情報などが保存される。また、フィールド１には、ドライブが使用したドライブテスト領域の位置や、最適化した記録波形、記録波形最適化の為の目標値などが保存される。フィールド２には、ユーザが指定した任意の情報が保存される。フィールド３には、実施中のフォーマットの内容を示すフォーマットコードや、データ領域がボーダーという単位に分割されている場合には、ボーダーの開始位置、終了位置を示す情報が保存される。フィールド４にはデータ領域の中で、フォーマットもしくはユーザデータが記録された領域であるＲＺｏｎｅの開始位置と終了位置を示す情報が保存される。フィールド５には、記録マネジメント情報複製領域、記録マネジメント領域、Ｒ物理フォーマット情報領域内のＰＳブロックがディフェクトであるか、ディフェクトでないかを示す情報が保存されている。フィールド６から先は、データ領域の各ＰＳブロックに対応したビットマップが保存されている。このビットマップではデータ領域内の対応したＰＳブロック群にデータが記録されていなければ、そのビットには１ｂ（ｂはバイト）、記録領域内の対応したＰＳブロック群に記録されていないか、データ以外のものが記録されていれば、そのビットには０ｂを設定する。ビットマップのサイズは、データ領域のサイズによって変化し、ＲＭＤの残りの領域は予備としてすべて０のデータが保存される。
【００４９】
図１１（ａ）にＲＭＤのフィールド０の内容の例を示す。
【００５０】
ＲＭＤ記録形式識別子には、ＲＭＤのデータの記録形式を示す情報が記録される。ディスク状態情報には次に述べるような定義でディスクの状態をしめす値が設定される。例えばディスクが追記型のディスクである場合、ディスクがエンプティ（空）状態であれば“００ｈ”を、ボーダーがひとつでファイナライズされた状態であれば“０１ｈ”を、ユーザデータが記録されてファイナライズされていない状態であれば“０２ｈ”、ファイナライズされた状態であれば“０３ｈ”、フォーマットやファイナライズの途中状態であれば“１１ｈ”を記録する。
【００５１】
ディスクが書き換え型ディスクである場合には、次に説明する定義となる。ディスク状態情報が“００ｈ”であればディスクはエンプティ（空）状態である。“１２ｈ”であれば、シーケンシャルフォーマッティング記録モードでファイナライズされた状態、“２２ｈ”であればフルファイナライズされた状態である。“１３ｈ”であれば、シーケンシャルフォーマッティング記録モードで記録中の状態、“２３ｈ”フラグメント記録モードで記録中の状態である。“１１ｈ”であれば、シーケンシャルフォーマッティング記録モードに関するフォーマットの処理中、“２１ｈ”であればフラグメント記録モードに関するフォーマットの処理中を示す。また、“９ｘｈ”もしくは“Ａｘｈ”（ｘは任意の１６進数）であれば、ディスクはそれぞれ、シーケンシャルフォーマッティング記録モード、フラグメント記録モードでありかつライトプロテクト状態であることを示す。ここで“ｈ”は数字が１６進数で表されていることを示す。ユニークディスクＩＤには、図８と同様な内容が記録される。データエリア構造には、光ディスクのユーザデータ記録可能領域、即ちデータ領域の開始ＰＳＮや終了ＰＳＮを記録する。更新データエリア構造には、後述のミドル領域拡張フォーマットを実行した際などに、光ディスク１１の記録可能領域が変化した場合、その範囲を記録する。図１１（ｂ）に更新データエリア構造の内容を示す。更新識別子には、データエリア構造を更新したか否かを示すフラグを記録する。例えば、更新されていない場合には００ｈ、ミドル領域拡張によりデータエリアの構造が更新されていれば、０１ｈを記録する。パディング状態情報は、情報の各ビットが、図５や図６に示す光ディスク１１の各エリアと対応しており、対応したエリアがパディング済みの場合はそのビットを１ｂに、パディングがすんでいない場合には、０ｂに設定する。ＲＭＤ初期化識別子は、ＲＭＤ初期化が実行された場合には、１ｂが設定され、光ディスク１１がＲＭＤ初期化されたことがあるか否かを判定することに利用される。テスト領域配置情報は、光ディスク１１に複数配置されたテスト領域のそれぞれの開始ＰＳＮと終了ＰＳＮが記録される。
【００５２】
また、ＲＭＤ位置情報は、ＲＭＤオーダー番号、ＲＤＭシリアル番号、ＲＭＤ set番号で構成されている。ＲＭＤオーダー番号はＲＭＤ  ｓｅｔ内のＲＭＤの順序を示す番号で、ディスクの内周側から０、１、２、３の番号が付けられている。また、ＲＭＤシリアル番号はＲＭＤの更新回数を示す情報で、はじめのＲＭＤの記録ではこのシリアル番号を０とし、ＲＭＤの内容を書き換えて、ＲＭＤを更新するたびに、１ずつ増加させていく。また、ＲＭＤ  ｓｅｔ番号は記録マネジメント領域内のＲＭＤ  ｓｅｔの位置を示す情報で、図７に示すように、記録マネジメント領域の最内周を#０とし、順に#９７まで番号が振られている。書き換え型ディスクでは、記録マネジメント領域を繰り返し使用するため、もっとも外周にある情報が最新の記録マネジメント情報とは限らない。従って、この記録マネジメント情報を更新した回数であるＲＭＤシリアル番号が最大のものを検索することで、最新の記録マネジメント情報を決定することが可能となる。
【００５３】
図１２にＲＭＤのフィールド３の内容を示す。本実施例では、フィールド３には処理中もしくは処理後のフォーマット動作に関する情報が記録される。フォーマット動作コードには、処理中、もしくは処理後のフォーマットに割り当てられた動作コードが記録される。フォーマット情報１には、フォーマットが実施済みの最後のＰＳＮが記録される。フォーマット情報２には、フォーマット情報１に保存されたＰＳＮが存在する領域を示すコードが保存される。これは例えば、フォーマットが実行済みの最終ＰＳＮがＲＺｏｎｅ内であったら、０１ｈ、ターミネータであったら０３ｈ、パディングゾーンであれば０４ｈ、ミドル領域であれば１０ｈ、リードイン領域であれば、２０ｈ、リードアウト領域であれば３０ｈといった具合である。
【００５４】
図１３にＲＭＤのフィールド４の内容を示す。本実施例では、フィールド４には光ディスク１１のデータ領域の中でフォーマットされた領域であるＲＺｏｎｅの範囲が保存されている。ＲＺｏｎｅ番号には、ディスクに存在するＲＺｏｎｅの数が記録される。例えばディスクにＲＺｏｎｅが形成されていない場合には、この番号は００ｈ、一つ存在する場合には０１ｈとなる。ＲＺｏｎｅ開始ＰＳＮとＲＺｏｎｅ終了ＰＳＮにはそれぞれ、形成されたＲＺｏｎｅの最初のセクタのＰＳＮと最後のセクタのＰＳＮが記録される。
【００５５】
図１４に記録マネジメント情報のフィールド５のディフェクト情報の内容を示す。フィールド６には、記録マネジメント情報複製領域のディフェクト状態を表すバイト、記録マネジメント領域のディフェクト状態を表すバイト、Ｒ物理フォーマット情報領域のディフェクト状態を表すバイトが配置されており、それぞれ各領域のＰＳブロックと対応したビットマップが保存される。図１５にビットマップの例を示す。図のように、バイト内の各ビットが各領域のＰＳブロック、もしくはＲＭＤ  ｓｅｔと対応しており、そのＰＳブロック、もしくはＲＭＤ  ｓｅｔがディフェクトと判定された場合には、ここに１ｂがセットされる。通常は０ｂである。例えば、図７に示すように記録マネジメント複製領域は#０から#６までのＰＳブロックがあり、１バイトのビットマップが割り当てられている。従って、ビットマップは#０から#６までがディフェクト状態を示す情報として利用され、残りの１ビット、即ち図１５の#７の位置は予備として常に０ｂが保存される。
【００５６】
ここで、本発明の光ディスク１１にはディフェクトの判定の為に記録データにエラー検出コード（ＥＤＣ：Ｅｒｒｏｒ  Ｄｅｔｅｃｔｉｏｎ  Ｃｏｄｅ）が重畳されている。本発明の光ディスク装置１２は記録したデータを再度再生し、ＥＤＣを評価することによって記録再生データにエラーが検知された場合、このＰＳブロックをディフェクトが発生したＰＳブロックをエラーとする。また、ＲＭＤ  ｓｅｔのように４つのＰＳブロックで構成されているセットの場合には、セットを構成するＰＳブロックのうち二つ以上のＰＳブロックがディフェクトと判定された場合には、セット自体をディフェクトとして判定する。このような記録した情報の読み取り特性を判定する方法としては、ＥＤＣのほかにも、パリティを使った方法や、サーボのはずれ検知を使用した方法がある。
【００５７】
＜交代処理＞
図１６に本発明の記録管理情報更新手順と管理情報の設定値の例と、本発明のＲＭＤ更新手順を示す。図１６には記録マネジメント情報複製領域と、記録マネジメント領域の記録状態と記録されたＲＭＤのＲＭＤ  ｓｅｔ番号、ＲＤＭオーダー番号、ＲＭＤシリアル番号の値が示されている。この例では通常の使用状態から、新しく記録マネジメント領域のＲＭＤ  ｓｅｔを更新した際にディフェクトが検出された場合のＲＭＤ  ｓｅｔの交代処理について説明を行う。
【００５８】
本発明の光ディスク１１の場合、通常の使用状態では図１６（ａ）に示すような状態になっている。記録されたＲＭＤ  ｓｅｔのＲＭＤ  ｓｅｔ番号は記録マネジメント領域の最内周側から順番に９７までが記録されている。また、ＲＭＤオーダー番号はそれぞれのＲＭＤ  ｓｅｔにおいて、内周側のＲＭＤから順番に０から３の番号が設定されている。ＲＭＤシリアル番号はＲＭＤ  ｓｅｔ番号１の位置に記録された９９番が最大の値となる。従って、図１６（ａ）における最新のＲＭＤ  ｓｅｔはＲＭＤ  ｓｅｔ番号１に記録されたＲＭＤ  ｓｅｔであることがわかる。次にＲＭＤ  ｓｅｔの更新を行う場合には、新しいＲＭＤ  ｓｅｔはＲＭＤ  ｓｅｔ番号２の位置に記録される。また、この状態ではディフェクトが一つも検出されていないため、フィールド６のディフェクト情報はすべて０ｂとなっている。この状態のディフェクト情報をＡとする。
【００５９】
図１６（ｂ）にＲＭＤ  ｓｅｔ番号２の位置に新しいＲＭＤ  ｓｅｔを記録した状態を示す。情報の書換え等が実施され、新しいＲＭＤ  ｓｅｔをＲＭＤ  ｓｅｔ番号２の位置に記録する。このとき、ＲＭＤシリアル番号は１００が設定される。また、このときのディフェクト情報は前のＲＭＤ  ｓｅｔと同じ状態であり、すべてが０ｂとなっている。ここで、図１６（ｂ）に示すように、ＲＭＤオーダー番号０と、２の位置のＰＳブロックがディフェクトと判定されたとする。これによりＲＭＤ  ｓｅｔ番号２のＲＭＤ  ｓｅｔには２つのディフェクトとされたＰＳブロックが存在することになるため、そのＲＭＤ  ｓｅｔはディフェクトと判定される。従って、この判定に基づいてフィールド６のディフェクト情報を更新する必要がある。即ち、図１４及び図１５で示された記録マネジメント領域のディフェクト状態のビットマップの#２を１ｂとする。ここで、この状態のディフェクト情報をＢとする。
【００６０】
光ディスク装置１２は、このようにディフェクトを検出した場合、新たなディフェクト情報が保存されたＲＭＤ  ｓｅｔを次の位置に記録する。これが図１６（ｃ）の状態である。このとき、ＲＭＤシリアル番号も１だけ増加させる。
【００６１】
図１６（ｄ）はディスクイジェクト前の記録状態を示している。光ディスク装置１２は光ディスク１１を装置からイジェクトする前には最新の情報を保存したＲＭＤ  ｓｅｔを記録する。さらに、その最新のＲＭＤ  ｓｅｔのうち最もＲＭＤオーダー番号の大きいディフェクトでないＰＳブロックのＲＭＤを記録マネジメント情報複製領域に記録する。
【００６２】
このように、本発明の情報記録方法では、管理情報であるＲＭＤ  ｓｅｔ交代処理によってＲＭＤシリアル番号が増加し、さらに最後にＲＭＤ  ｓｅｔの一部であるＲＭＤが記録マネジメント複製領域にコピーされる。
【００６３】
従って、本発明の実施例の一つである情報再生方法では光ディスクを再生する際には、記録マネジメント複製領域を再生し、記録マネジメント複製領域にコピーされたＲＭＤを索引情報として利用することで、最新のＲＭＤ  ｓｅｔの位置を迅速に検索することが可能となる。さらに、記録マネジメント領域の再生時には、記録されたＲＭＤ  ｓｅｔのうちＲＭＤシリアル番号が最大であることを評価することにより、正確に最新のＲＭＤ  ｓｅｔの位置を確定することができ、信頼性の高いＲＭＤ  ｓｅｔ検索を実現することが可能となる。
【００６４】
図１７に本発明の記録管理情報更新手順と管理情報の設定値の例と、本発明のＲＭＤ更新手順を示す。図１７には記録マネジメント情報複製領域と記録マネジメント領域の記録状態と記録されたＲＭＤのＲＭＤ  ｓｅｔ番号、ＲＤＭオーダー番号、ＲＭＤシリアル番号の値が示されている。この例では新しく記録マネジメント情報複製領域に、ＲＭＤを記録した際に、ディフェクトが検出された場合のＲＭＤの交代処理について説明を行う。
【００６５】
図１７（ａ）は記録マネジメント情報複製領域にＲＭＤを記録した状態を示している。ここで、本発明の光ディスク装置１２は記録マネジメント情報複製領域には、光ディスク１１を装置からイジェクトする場合や光ディスク１１をファイナライズした場合に、記録マネジメント領域の最新のＲＭＤをコピーする。図１７（ａ）でＲＭＤを記録マネジメント情報複製領域にコピーする前には、記録マネジメント情報複製領域がＲＤＺリードインを除いて未記録状態であり、記録マネジメント領域にはＲＭＤ  ｓｅｔ番号#０から#１までのＲＭＤ  ｓｅｔがディフェクトとして検出されたＰＳブロックがない状態で記録されている。この状態のディフェクト情報をＡとする。次に、記録マネジメント領域の最新のＲＭＤを記録マネジメント情報複製領域にコピーする。ここで、図１７（ａ）に示すようにＲＭＤをコピーしたＰＳブロックがディフェクトとして検出されたとする。本発明の光ディスク装置１２は、記録マネジメント情報複製領域にディフェクトを検出した場合、この検出結果に基づいてフィールド６のディフェクト情報を更新する必要がある。即ちこの例では、図１４及び図１５で示された記録マネジメント情報複製領域のディフェクト状態のビットマップの#０を１ｂとする。ここで、この状態のディフェクト情報をＢとする。次に本発明の光ディスク装置１２は新たなディフェクト情報Ｂを有するＲＭＤを記録マネジメント情報複製領域ではなく、記録マネジメント領域に新たなＲＭＤ  ｓｅｔとして記録する。この状態が図１７（ｂ）の状態である。さらに、ＲＭＤ  ｓｅｔの記録が完了したら、記録マネジメント情報複製領域の次のＰＳブロックに最新のＲＭＤを記録する。この状態が図１７（ｃ）の状態である。これで、記録マネジメント情報複製領域にコピーされたＲＭＤの交代処理が完了する。
【００６６】
このように本発明の情報記録方法では、記録マネジメント情報複製領域内でディフェクトが検出された場合でも、記録マネジメント領域のＲＭＤ  ｓｅｔを更新してから、記録マネジメント複製領域のＲＭＤを更新する。この結果、記録マネジメント領域の情報と記録マネジメント情報複製領の情報が常に一致することになるので、最新のＲＭＤ  ｓｅｔを迅速に、正確に検索することが可能となる。
【００６７】
図１８に本発明の記録管理情報更新手順と管理情報の設定値の例と、本発明のＲＭＤ更新手順を示す。図１８には記録マネジメント情報複製領域と記録マネジメント領域の記録状態と記録されたＲＭＤのＲＭＤ  ｓｅｔ番号、ＲＤＭオーダー番号、ＲＭＤシリアル番号の値が示されている。この例では記録マネジメント領域をパディングした後にディフェクトが検出された場合について説明する。ここで、記録マネジメント領域のパディングは例えば光ディスク１１をファイナライズした際などに実施される。
【００６８】
図１８（ａ）の状態は、記録マネジメント領域のＲＭＤ  ｓｅｔ番号#０から#２のみが使用された状態を示している。残りの部分は未記録であり、さらに、ディフェクトとなるＰＳブロックは検出されていない。この状態のディフェクト情報をＡとする。ここで、光ディスク装置１２によりファイナライズが実施され、記録マネジメント領域の未記録の領域がすべて最新のＲＭＤ  ｓｅｔでパディングされたとする。この状態が図１８（ｂ）の状態である。ここで、パディング動作で記録されたＲＭＤ  ｓｅｔのＲＭＤシリアル番号はすべて等しい。ここでは３である。さらに、図１８（ｂ）に示すようにＲＭＤ  ｓｅｔ番号#４と#５の複数のＰＳブロックがディフェクトとして検出されたとする。光ディスク装置１２はこの検出結果に基づいてフィールド６のディフェクト情報を更新する必要がある。即ちこの例では、図１４及び図１５で示された記録マネジメント情報複製領域のディフェクト状態のビットマップの#４と#５を１ｂとする。ここで、この状態のディフェクト情報をＢとする。光ディスク装置１２は次にこのディフェクト情報Ｂを持った最新のＲＭＤ  ｓｅｔをＲＭＤ  ｓｅｔ番号#０の位置に記録する。これが図１８（ｃ）の状態である。最後に、記録マネジメント領域へのＲＭＤ  ｓｅｔの記録が完了したら、最新のＲＭＤを記録マネジメント情報複製領域にコピーしてファイナライズが完了となる。ただし、光ディスク１１が２層以上のレイヤーを有する場合には、最新のＲＭＤで記録マネジメント情報複製領域をすべてパディングする。
【００６９】
このように本発明の情報記録方法では、複数の管理情報を記録する場合でも、ディフェクトの検出を一度とし、交代する管理情報は１つとすることで、交代処理を迅速に行うことが可能となっている。
【００７０】
図１９に記録マネジメント領域にＲＭＤを記録する際のフローを示す。本発明の光ディスク装置１２は、記録マネジメント領域にＲＭＤを記録する場合、第一のステップでは、まず記録マネジメント領域の現在使用しているＲＭＤ  ｓｅｔの次のＲＭＤ  ｓｅｔ番号の位置に新しいＲＭＤ  ｓｅｔを記録する（ＳＴＥＰ０−１）。次に、第二のステップでは記録したＲＭＤ  ｓｅｔを再生する（ＳＴＥＰ０−２）。第三のステップでは、再生したＲＭＤ  ｓｅｔ内の各ＰＳブロックのＥＤＣをチェックする（ＳＴＥＰ０−３）。ＥＤＣチェックの結果、ＲＭＤ  ｓｅｔがディフェクトではないと判定された場合、ＲＭＤの記録は完了する。一方、ＲＭＤ  ｓｅｔがディフェクトと判定された場合には、光ディスク装置１２が保持するディフェクト情報を更新し、新たにディフェクトと検出したＲＭＤ  ｓｅｔを登録し、第四のステップに移行する。第四のステップでは第一のステップで記録したＲＭＤ  ｓｅｔのＲＭＤ  ｓｅｔ番号の判定を実施する（ＳＴＥＰ０−４）。ＲＭＤ  ｓｅｔ番号が記録マネジメント領域の最後のＲＭＤ  ｓｅｔ番号であった場合、即ち本実施例では#９７であった場合には、次に第六のステップに移行する。それ以外の番号であった場合には、第五のステップに移行する。第五のステップでは、光ディスク装置１２は新たにＲＭＤ  ｓｅｔを記録する位置を第一のステップで記録したＲＭＤ  ｓｅｔ番号の次のＲＭＤ  ｓｅｔ番号の位置に変更する（ＳＴＥＰ０−５）。一方、第五のステップでは、光ディスク装置１２は新たにＲＭＤ  ｓｅｔを記録する位置を記録マネジメント領域の最初のＲＭＤ  ｓｅｔ、即ちＲＭＤ  ｓｅｔ番号#０の位置に設定する。第七のステップでは、第五もしくは第六のステップで新たに設定したＲＭＤ  ｓｅｔ番号がすでに、最新のディフェクト情報に登録されているか否かを判定する（ＳＴＥＰ０−７）。ここで、すでにディフェクト情報に登録されていた場合、第四のステップに移行する。一方、登録されていなかった場合には、第一のステップに移行し、最新のＲＭＤを再度記録する。光ディスク装置１２はこのような手順で、記録マネジメント領域へのＲＭＤの記録を実施する。
【００７１】
＜フォーマット＞
図２０に本発明の光ディスク装置１２が可能なフォーマットの種類と対応するフォーマット動作コードを示す。図に示すように、光ディスク装置１２は７つのフォーマット動作に対応している。ここで、各フォーマット動作について説明を実施する。
【００７２】
“モード選択”動作は、光ディスク１１に対する記録モードを選択する動作である。本発明の光ディスク１１は、データ領域の内周側から順に、途切れなくデータを記録していくシーケンシャルフォーマッティング記録モードと、データ領域の任意の場所に対して任意の順番で記録が可能なフラグメント記録モードといった複数の記録モードをサポートしている。従って、光ディスク１１を使用する前に、“モード選択”動作を実施し、光ディスク１１の記録モードを選択する。ここで、“モード選択”動作とは、ＲＭＤのフィールド０のディスク状態情報を所望のモードに設定し、光ディスク１１にそのＲＭＤを書き込む動作である。
【００７３】
“シーケンシャルパディング”動作は光ディスク１１のデータ領域にフォーマットされた領域であるＲＺｏｎｅを形成、拡張する動作である。動作コードは０１ｈが割り当てられている。光ディスク装置１２は、ユーザから“シーケンシャルパディング”動作の要求があった場合には、データ領域の先頭か、もしくはすでに形成されているＲＺｏｎｅの次のＰＳブロックから、指定された範囲だけ途切れることなくダミーデータを記録する。データ領域の先頭から、シーケンシャルパディングされた範囲は、ＲＺｏｎｅと呼ばれる領域になる。本発明の光ディスク１１ではこのＲＺｏｎｅの中では任意の場所に、任意の順番でデータを上書きすることができる。また、ＲＺｏｎｅの次のＰＳブロックから連続的にデータを追記することができる。
【００７４】
“ドライブ制御パディング”動作は光ディスク１１のデータ領域を自動的にダミーデータで記録していく動作である。最終的には、データ領域がすべて記録された状態になる。
【００７５】
“ファイナライズ”動作は、光ディスク１１を再生専用機でも再生可能な状態にする処理である。ファイナライズ処理によってリードイン領域から、ＲＺｏｎｅ、それに続くターミネータもしくはリードアウト領域までがすべて何らかのデータで連続して記録された状態になる。フォーマット動作コードは０２ｈである。
【００７６】
“ユーザデータ消去”動作は、既に記録されているユーザデータを見かけ上消去する動作である。具体的には、ＲＭＤのフィールド４に記録されているＲＺｏｎｅに関する情報をすべて０に設定し、フィールド１のディスク状態情報をエンプティ（空）状態にする。こうすることで、たとえデータ領域にユーザデータが残っていたとしても、光ディスク装置１２は、ユーザからの再生要求に対してディスクはエンプティ（空）状態であると応答し、ユーザデータを再生しない。フォーマット動作コードは０３ｈである。
【００７７】
“ＲＭＤ初期化”動作は、記録マネジメント情報複製領域、記録マネジメント領域、Ｒ物理フォーマット領域全体に、初期化用のＲＭＤもしくはＰＦＩを記録し、管理情報の過去の履歴を消去し、ディスクを再利用できるようにする処理である。フォーマット動作コードは０４ｈである。
【００７８】
“ミドル領域拡張”動作は、２層のレイヤーを有する光ディスク１１において、データ領域の大きさとミドル領域の大きさを変更する動作である。光ディスク装置１２はユーザからのミドル領域拡張の要求があった場合、ＲＭＤのフィールド０の更新データエリア構造の更新識別子を０１ｂとし、さらにレイヤー０の最終ＰＳＮを変更し、変更したＲＭＤを記録マネジメント領域に記録する。これ以降は、レイヤー０のデータ領域の範囲が、レイヤー０の最終ＰＳＮに登録した場所までとなり、そこから先はミドル領域として取り扱われる。
【００７９】
図２１に光ディスク１１にシーケンシャルフォーマッティング記録モードで記録を実施した場合の記録の状態を示す。始めに、ユーザから“シーケンシャルパディング”動作の要求があった場合、光ディスク装置１２はデータ領域の先頭から要求された範囲だけデータを連続的に記録する。この状態が図２１（ａ）に示す状態である。記録された範囲はＲＺｏｎｅと呼ばれる。このとき、ＲＭＤのフィールド４のＲＺｏｎｅ番号には０１ｈが設定され、ＲＺｏｎｅ開始ＰＳＮには“ＲＺｏｎｅの開始ＰＳＮ１”の値が保存される。また、ＲＺｏｎｅ終了ＰＳＮには“ＲＺｏｎｅの終了ＰＳＮ１”の値が保存される。この状態ではユーザはＲＺｏｎｅ内であれば、任意の位置にデータの記録が可能であり、“ＲＺｏｎｅの終了ＰＳＮ１”の次の物理セクタから連続的にデータを記録することも可能である。次に、ユーザから“ファイナライズ”動作の要求があった場合、光ディスク装置１２はターミネータを記録する。ここで、図２１（ｂ）に示すようにＲＺｏｎｅがターミネータ開始位置最小ＰＳＮに達していない場合、ＲＺｏｎｅの終了位置からターミネータ開始位置最小ＰＳＮまでをダミーデータで記録状態とする。ターミネータはデータの内容は０であるが、データのタイプがリードアウト属性を示すデータで記録されており、光ディスク装置１２はこのターミネータを確認することで、データの終了位置を確認することができる。光ディスク装置１２はさらに、図示されていないリードイン領域の記録マネジメント領域、Ｒ物理フォーマット領域、リファレンスコード領域をすべて記録状態とする。このとき記録するＲＭＤのフィールド０のディスク状態情報は“１２ｈ”を設定する。また、フィールド４のＲＺｏｎｅ番号には０１ｈが設定され、ＲＺｏｎｅ開始ＰＳＮには“ＲＺｏｎｅの開始ＰＳＮ２”の値が保存される。また、ＲＺｏｎｅ終了ＰＳＮには“ＲＺｏｎｅの終了ＰＳＮ２”の値が保存される。このときダミーデータはＲＺｏｎｅには含まれない。ただし、フィールド６以降に保存されるビットマップのダミーデータに対応する部分は１ｂが保存される。一方、ターミネータに対応する部分のビットマップは０ｂが保存される。次にユーザから再度“シーケンシャルパディング”動作の要求があった場合、要求の範囲だけＲＺｏｎｅを拡張する。このときダミーデータの部分はそのままＲＺｏｎｅとして登録され、ターミネータ部分だけがデータで上書きされる。さらに、再度ファイナライズの要求があった場合には、ターミネータが記録される。これが図２１（ｃ）の状態である。また、図示しないがファイナライズ状態では、データ領域とＲＺｏｎｅのサイズが一致した状態ではターミネータの変わりにリードアウト領域のガード領域の記録が行われる。このときディスク状態情報には“２２ｈ”、すなわちフルファイナライズ状態が設定される。一方、２層の記録層を有するディスクの場合、ミドル領域のガード領域、記録マネジメント複製領域、リードイン領域のテスト領域がすべて記録された状態となる。加えてデータ領域のＲＺｏｎｅとターミネータ以外の領域はパディングゾーンとしてダミーデータが記録される。
【００８０】
図２２に光ディスク１１にフラグメント記録モードで記録を実施した場合の記録の状態を示す。始めに、ユーザから“モード選択”動作の要求があった場合、光ディスク装置１２はＲＭＤのフィールド０のディスク状態情報を“２３ｈ”に設定する。さらに、フィールド４のＲＺｏｎｅ番号には０１ｈを設定し、ＲＺｏｎｅ開始ＰＳＮには“データ領域の開始ＰＳＮ”の値を、ＲＺｏｎｅ終了ＰＳＮには“データ領域の開始ＰＳＮ”の値をそれぞれ保存する。フラグメント記録モードが選択された光ディスク１１では、ユーザはデータ領域の全域にわたって、任意の位置に任意の順序でユーザデータを記録することが可能である。この状態が図２２（ａ）に示す状態である。ここで、ユーザデータが記録された位置はＲＭＤのフィールド６以降に保存されているビットマップに１ｂを設定する。次に、ユーザが“ドライブ制御パディング”動作を要求している場合、ビットマップを参考に、ドライブは自動的にユーザデータが記録されていない部分、すなわち対応するビットマップが０ｂのＰＳブロックにダミーデータを自動的に記録していく。ダミーデータの記録が完了すると、図２２（ｂ）の状態となる。この状態ではビットマップはすべて１ｂが設定される。一方、“ドライブ制御パディング”動作の要求がない場合でも、“ファイナライズ”動作の要求があれば、ドライブは同様にダミーデータを記録し、光ディスク１１を図２２（ｂ）の状態にする。さらに、ファイナライズの場合には図示しないが、リードアウト領域のガード領域、記録マネジメント領域、Ｒ物理フォーマット領域、リファレンスコード領域全体を記録状態にする。
【００８１】
次に本発明の実施例の一つである光ディスク１１のフォーマット方法について説明する。本発明の方法ではフォーマットは図２３に示す手順で実行される。第一のステップでは、光ディスク装置１２は光ディスク１１に初期ＲＭＤ（Ａ）を記録しなくてはならない（ＳＴＥＰ１−１）。第二のステップでは光ディスク装置１２は規定されたフォーマットの処理を実行しなくてはならない（ＳＴＥＰ１−２）。これは例えば、図２０で説明した内容の処理である。第三のステップでは光ディスク装置１２は光ディスク１１に最終ＲＭＤ（Ｃ）を記録しなければならない。これらの処理が完了して、フォーマットの完了とする。ここで、初期ＲＭＤ（Ａ）は次の規定に従って、その内容が設定されていなくてはならない。
【００８２】
１．ＲＭＤのフィールド０のディスク状態情報がフォーマットの処理中に設定されている。本発明の光ディスク１１の例ではシーケンシャルフォーマット記録モードに関するフォーマット処理であれば、“１１ｈ”、フラグメント記録モードに関する処理であれば“２１ｈ”を設定する。
【００８３】
２．ＲＭＤのフィールド３のフォーマット動作コードに、実行するフォーマットの動作コードを設定する。本発明の光ディスク１１の例では、例えば“シーケンシャルパディング”動作の場合には“０１ｈ”を設定する。さらに、フォーマット情報１とフォーマット情報２には“００ｈ”を設定する。ただし、フォーマット動作コードが“０２ｈ”で、フィールド４のＲＺｏｎｅ番号が“０１ｈ”に設定されている場合、フォーマット情報１に、ＲＺｏｎｅの終了ＰＳＮを設定し、フォーマット情報２にデータ領域を表す“０１ｈ”を設定しても良い。
【００８４】
３．ＲＭＤのフィールド４の値はフォーマット前の状態を維持する。ただし、フォーマットの処理が“ユーザデータ消去”である場合にはすべての値を“００ｈ”とする。
【００８５】
また、最終ＲＭＤ（Ｃ）は次の規定に従って、その内容が設定されていなくてはならない。
【００８６】
１．ＲＭＤのすべてのフィールドが最新の光ディスク１１の記録状態と一致した値に設定されなくてはならない。
【００８７】
２．ＲＭＤのフィールド３の情報は消去され、すべての値を“００ｈ”とする。このように本発明の情報記録方法では、フォーマットの処理前に管理情報を記録するため、フォーマット処理の途中で処理が失敗した場合でも、この管理情報を確認することで、フォーマットがどのような状態で失敗したかを確認することが可能となる。
【００８８】
ここで、例えば光ディスク装置１２は、フォーマットの失敗を検出した場合、ユーザにフォーマットの失敗を通知し、ＲＭＤのフィールド３の情報を元にフォーマットの再開を促すことが可能となる。さらに、ＲＭＤのフィールド４には、処理間のフォーマットされた領域が保存されており、さらにＲＭＤのフィールド６以降には記録済みの領域を示すビットマップが保存されていることから、ここで、指定された領域に上書きを禁止するなどし、過去に記録したユーザの情報を守ることが可能となる。一方で、ユーザがデータの消去を望んでいた場合には、始めにフィールド４に０が指定される、すなわちフォーマットされた領域をクリアしているため、光ディスク装置はデータの再生を行わず、実質的にユーザデータが消去されたことになり、情報管理の信頼性を確保できる。また、フォーマット処理後にＲＭＤのフィールド３の情報をクリアするので、これを確認することで、フォーマットが正常に終了したことを確認し、次のフォーマットの受け入れ準備を確実に実行することが可能となる。
【００８９】
次に本発明の実施例の一つである複数のフォーマット動作を一度に実行する場合のフォーマット方法について説明する。本発明の方法ではフォーマットは図２４に示す手順で実行される。第一のステップでは、光ディスク装置１２は光ディスク１１に初期ＲＭＤ（Ａ）を記録しなくてはならない（ＳＴＥＰ２−１）。第二のステップでは光ディスク装置１２は規定されたフォーマットの処理を実行しなくてはならない（ＳＴＥＰ２−２）。これは例えば、図２０で説明した内容の処理である。さらに、すべてのフォーマット処理が完了するまで、この第二のステップを繰り返す。第四のステップでは光ディスク装置１２は光ディスク１１に最終ＲＭＤ（Ｃ）を記録しなければならない（ＳＴＥＰ２−４）。これらの処理が完了して、フォーマットの完了とする。ここで、複数のフォーマット動作を一度に実行する場合の初期ＲＭＤ（Ａ’）は次の規定に従って、その内容が設定されていなくてはならない。
【００９０】
１．初期ＲＭＤ（Ａ’）の内容は、基本的に複数実行するフォーマットのうち最後のフォーマット処理を示す値に設定する。例えば、“シーケンシャルパディング”動作、“ファイナライズ動作”を連続して実行する場合、ＲＭＤのフィールド３のフォーマット動作コードは“ファイナライズ動作”を示す“０２ｈ”を設定する。
【００９１】
２．ＲＭＤのフィールド４の値はフォーマット前の状態を維持する。ただし、複数のフォーマットの処理の中に“ユーザデータ消去”、または“ＲＭＤ初期化”が含まれている場合にはすべての値を“００ｈ”とする。
【００９２】
このように、本発明のフォーマット方法では、複数のフォーマット動作を一度に実行する場合、初期ＲＭＤ（Ａ）と最終ＲＭＤ（Ｃ）を毎回実行する必要はない。
【００９３】
このように、本発明の記録方法では、複数のフォーマット処理を一度に実行する場合には、毎回管理情報の記録を実施しないことで、迅速なフォーマット処理を可能に質得る。さらに、始めに記録管理情報に、最後に実施するフォーマット処理の内容を設定することで、フォーマット完了の判定が正確になるほか、フォーマットの処理が途中で途切れた場合でも、最終的にディスクの状態をどのようにする予定で処理が途切れたかを確認することが可能となる。
【００９４】
次に、図２３で説明を実施したフォーマット方法の第二のステップ（ＳＴＥＰ１−２）において、中間ＲＭＤ（Ｂ）を記録する場合の方法について説明を行う。図２５にフォーマットのフローを示す。第一のステップでは、光ディスク装置１２は光ディスク１１に初期ＲＭＤ（Ａ）を記録しなくてはならない（ＳＴＥＰ３−１）。第二のステップでは光ディスク装置１２は規定されたフォーマットの処理、例えばデータ領域の記録を開始する（ＳＴＥＰ３−２）。第三のステップではＲＭＤを更新するか否かを判定する（ＳＴＥＰ３−３）。例えば、記録が一定量実行されており、信頼性確保のためにＲＭＤを記録する必要があると判定されれば、第四のステップに移行する。もし、必要がない場合には、第五のステップに移行する。第四のステップでは光ディスク装置１２は、光ディスク１１に中間ＲＭＤ（Ｂ）を記録する（ＳＴＥＰ３−４）。第五のステップでは光ディスク装置１２は規定されたフォーマットの処理、例えばデータ領域の記録が終了したか否かを判定する（ＳＴＥＰ３−５）。終了していると判定されれば、第六のステップに移行する。終了していないと判定されれば、再び、第三のステップに移行する。第六のステップでは光ディスク装置１２は光ディスク１１に最終ＲＭＤ（Ｃ）を記録しなければならない。これらの処理が完了して、フォーマットの完了とする。ここで、中間ＲＭＤ（Ｂ）は次の規定に従って、その内容が設定されていなくてはならない。
【００９５】
１．ＲＭＤのフィールド４は初期ＲＭＤ（Ａ）と同じ値を設定する。ただし、初期ＲＭＤのＲＺｏｎｅ終了ＰＳＮに“００００００００ｈ”が設定されている場合には値を変更しても良い。
【００９６】
２．データ領域等の記録が行われている場合には、記録の範囲はＲＭＤのフィールド６以降に保存されているビットマップを更新する。
【００９７】
このように本発明の情報記録方法では、フォーマット処理中に管理情報を記録する場合には、光ディスクのフォーマットされた範囲を示す情報は変更しない。この結果、ユーザデータは光ディスクのフォーマットされた範囲に保存されているため、たとえ途中でフォーマットの処理が途切れた場合でも、ユーザデータが記録された範囲を確実に把握することができる。一方で、記録を実施した範囲はビットマップで確認可能であるので、フォーマットを再開する場合には、過去に記録した範囲を上書きして時間を余分に消費することはない。
【００９８】
次にフォーマット方法の手順の省略について説明を行う。本発明のフォーマット方法では、下記の省略条件を満たすとき、図２３、または図２４で説明したフローの第一のステップ（ＳＴＥＰ１−１）または（ＳＴＥＰ２−１）である初期ＲＭＤ（Ａ）または初期ＲＭＤ（Ａ’）の記録を省略することができる。
【００９９】
１．第二のステップ（ＳＴＥＰ１−２）または（ＳＴＥＰ２−２）の処理がＲＤＺ  Ｌｅａｄ−ｉｎとＲＭＤの記録のみで終了する。
【０１００】
２．第二のステップ（ＳＴＥＰ１−２）または（ＳＴＥＰ２−２）の処理がＲＭＤの記録のみで終了する。
【０１０１】
３．第二のステップ（ＳＴＥＰ１−２）または（ＳＴＥＰ２−２）の処理が“ドライブ制御パディング”、“ＲＭＤ初期化”、“ミドル領域拡張”動作のいずれかの処理である。
【０１０２】
図２６に省略条件が適応される場合のフローを示す。光ディスク装置１２はフォーマットの際、第一のステップで実施するフォーマット処理が省略条件を満たすかいなか判定する（ＳＴＥＰ４−１）。省略条件を満たす場合には、第四のステップに移行する。満たさない場合には、第二のステップに移行する。ここで、第二のステップ（ＳＴＥＰ４−２）は（ＳＴＥＰ１−２）または（ＳＴＥＰ２−２）と同じ処理である。また、第三のステップ（ＳＴＥＰ４−３）は（ＳＴＥＰ１−２）または（ＳＴＥＰ２−２）と（ＳＴＥＰ２−３）をあわせた処理と、同じ処理である。第四のステップでは光ディスク装置１２は最終ＲＭＤ（Ｃ）を光ディスク１１に記録しなくてはならない（ＳＴＥＰ４−４）。また、光ディスク１１に初めて記録を実施する場合には、ＲＤＺリードインを記録する。
【０１０３】
このように本発明の情報記録方法では、フォーマット処理手順に省略条件を設定している。この結果、フォーマット処理の信頼性を確保したまま、処理を高速化することが可能となる。
【０１０４】
次に、本発明のフォーマット中断方法について説明を実施する。本発明のフォーマット方法は、フォーマットの途中であってもユーザからの要求に従って、フォーマットを中断することが可能である。本発明のフォーマット方法では、光ディスク装置１２はフォーマットの中断時には、中断ＲＭＤ（Ｄ）を光ディスク１１に記録し、フォーマットの中断を完了する。また、フォーマット中断時には光ディスク装置１２は光ディスク１１を図２７のディスク状態情報に示す状態にして中断を完了しなくてはならない。例えば、“シーケンシャルパディング”動作を中断する場合には、光ディスク１１を光ディスク状態情報が“１３ｈ”、すなわちシーケンシャルフォーマッティング記録モードで記録中の状態にして、完了する必要がある。シーケンシャルフォーマッティング記録モードで“ファイナライズ”動作を中断する場合も同様である。一方、“ドライブ制御パディング”動作を中断する場合には、光ディスク１１を光ディスク状態情報が“２３ｈ”、すなわちフラグメント記録モードで記録中の状態にして、完了する必要がある。フラグメント記録モードで“ファイナライズ”動作を中断する場合も同様である。
【０１０５】
さらに、その他のフォーマットの動作を中断する場合でも、初期ＲＭＤ（Ａ）のディスク状態情報が“１１ｈ”の場合には、光ディスク１１を光ディスク状態情報が“１３ｈ”、初期ＲＭＤ（Ａ）のディスク状態情報が“２１ｈ”の場合には、光ディスク１１を光ディスク状態情報が“２３ｈ”の状態にして、中断を完了する。
【０１０６】
ここで、中断ＲＭＤ（Ｄ）はさらに次の規定に従って、その内容が設定されていなくてはならない。
【０１０７】
１．ＲＭＤのフィールド３の情報関しては、複数のフォーマット動作が同時に実行中の場合の中断であっても、初期ＲＭＤ（Ａ）と同じ情報を設定する。
【０１０８】
２．ＲＭＤのフィールド３の情報関しては、中断するフォーマット動作が“ファイナライズ”動作である場合には、フォーマット情報１とフォーマット情報２に現在記録中の位置の情報を設定する。
【０１０９】
３．ＲＭＤのフィールド４に関しては、フォーマット動作が“シーケンシャルパディング”動作であっても、ＲＺｏｎｅ終了ＰＳＮは初期ＲＭＤ（Ａ）と同じ値を設定する。ただし、初期ＲＭＤ（Ａ）のＲＺｏｎｅ終了ＰＳＮが“００００００００ｈ”であった場合には、中断ＲＭＤ（Ｄ）のＲＺｏｎｅ終了ＰＳＮに実際にパディングした範囲を設定しても良い。
【０１１０】
このように本発明の情報記録方法では、フォーマットの処理が途中で中断可能なため、ユーザの利便性が高い。さらに、中断時には、ディスクの状態を記録中の状態に設定するため、中断後もユーザからの記録要求に迅速に応答することが可能となる。また、管理情報再生の際にも、光ディスク装置１１はディスク状態情報を元にディスクの状態を記録中と判定するため、ユーザのデータ再生要求に迅速に応答することが可能となる。
【０１１１】
ここから、本発明のフォーマット方法の、具体的な手順について詳細な説明を実施する。また以下の説明では、単層光ディスクのデータ領域（Ｙ９）の最初の物理セクタのＰＳＮを“０３００００ｈ”、最終物理セクタのＰＳＮを“７３５４３Ｆｈ”、２層光ディスクのレイヤー０のデータ領域（Ｚ１０）の最初の物理セクタのＰＳＮを“０４００００ｈ”、最終の物理セクタのＰＳＮを“７３ＤＢＦＦｈ”、レイヤー１のデータ領域（Ｚ１９）の最初の物理セクタのＰＳＮを“８Ｃ２４００ｈ”とする。
【０１１２】
図２８に、ドライブが単層の記録層をもつ未記録の光ディスク１１に対して、シーケンシャルフォーマッティング記録モードで光ディスク１１に記録を行う場合のフローを示す。このフローでは“モード選択”動作、ユーザデータの記録、“ファイナライズ”動作がそれぞれ実行されている。ここで、第一から第二までのステップが、“モード選択”動作、第三から第四までのステップが、ユーザデータの記録、第五から第八までのステップが、“ファイナライズ”動作に関する処理である。
【０１１３】
第一のステップではドライブはＲＤＺリードインを記録する（ＳＴＥＰ５−１）。第二のステップではドライブは最終ＲＭＤ（Ｃ１）を記録マネジメント領域に記録する（ＳＴＥＰ５−２）。ここで、図３５（ａ）に最終ＲＭＤ（Ｃ１）の内容を示す。第三のステップではドライブは光ディスク１１のデータ領域の先頭、すなわち先頭ＰＳＮが３００００ｈのＰＳブロックから順にユーザデータを記録していく（ＳＴＥＰ５−３）。ユーザデータの記録を完了したら次のステップに移行する。ここでは記録したデータのサイズを“５０００００ｈ”とする。第四のステップではドライブは最終ＲＭＤ（Ｃ２）を記録マネジメント領域に記録する（ＳＴＥＰ５−４）。ここで、図３５（ｂ）に最終ＲＭＤ（Ｃ２）の内容を示す。第五のステップでは、ドライブは初期ＲＭＤ（Ａ１）を記録マネジメント領域に記録する（ＳＴＥＰ５−５）。ここで、図３５（ｃ）に初期ＲＭＤ（Ａ１）の内容を示す。第六のステップでは、第三のステップで記録した記録領域の次のＰＳブロックからターミネータを記録する（ＳＴＥＰ５−６）。第七のステップではドライブはＲ物理フォーマット情報領域とリファレンスコード領域を記録する（ＳＴＥＰ５−７）。このときＲ物理フォーマット情報領域に記録するＰＦＩのＲＺｏｎｅの最終ＰＳＮ領域には“５２ＦＦＦＦｈ”が設定されている。第八のステップではドライブは最終ＲＭＤ（Ｃ３）を記録マネジメント領域に記録する（ＳＴＥＰ５−８）。さらに、記録マネジメント領域の未記録のまま残っている領域をこの最終ＲＭＤ（Ｃ３）でパディングし、さらに最終ＲＭＤ（Ｃ３）を記録マネジメント情報複製領域にコピーする。ここで、図３５（ｄ）に最終ＲＭＤ（Ｃ３）の内容を示す。
【０１１４】
このフローではまず、“モード選択”動作が行われるが、これは省略条件の１．にあたる動作であるため、ＲＤＺリードインの記録と、最終ＲＭＤ（Ｃ１）の記録で処理が完了する。ここで、図３５（ａ）に示されるように、ディスク状態情報は“１３ｈ”となり、光ディスク１１がシーケンシャルフォーマッティング記録モードとなっている。また、フィールド４のＲＺｏｎｅ終了ＰＳＮは、データ領域の記録が行われていないことから、“００００００００ｈ”が保存されている。つぎに、データの記録では、データをＰＳＮが“３００００ｈ”の物理セクタから、“５０００００ｈ”分記録を実行したので、図３５（ｂ）に示されるように、ＲＭＤのフィールド４のＲＺｏｎｅ終了ＰＳＮは“５２ＦＦＦＦｈ”と設定されている。最後に、“ファイナライズ”動作が実行される。まず、図３５（ｃ）に示される初期ＲＭＤ（Ａ１）が記録されている。ここで、現在ディスクがシーケンシャルフォーマッティング記録モードであるため、ＲＭＤのフィールド０のディスク状態情報は“１１ｈ”が設定されている。さらに、フィールド３のフォーマット動作コードには、“ファイナライズ”動作を示す“０２ｈ”が保存されている。フォーマット情報１とフォーマット情報２は０のデータでうめられている。一方、ＲＭＤのフィールド４には現状の光ディスク１１のＲＺｏｎｅのサイズが正しく保存されている。“ファイナライズ”動作の最後には図３５（ｄ）に示されるように、最終ＲＭＤ（Ｃ３）が記録されている。ここで、ファイナライズ動作が完了したので、ＲＭＤのフィールド０のディスク状態情報は“１２ｈ”、すなわちシーケンシャルフォーマッティング記録モードでファイナライズされた状態に設定されている。また、ＲＭＤのフィールド３はリセットされ、すべて０のデータが設定されている。
【０１１５】
図２９に、ドライブが単層の記録層をもつ未記録の光ディスク１１に対して、フラグメント記録モードで光ディスク１１に記録を行う場合のフローを示す。このフローでは“モード選択”動作、ユーザデータの記録、“ファイナライズ”動作がそれぞれ実行されている。ここで、第一から第二までのステップが、“モード選択”動作、第三から第四までのステップが、ユーザデータの記録、第五から第九までのステップが、“ファイナライズ”動作に関する処理である。
【０１１６】
第一のステップではドライブはＲＤＺリードインを記録する（ＳＴＥＰ６−１）。第二のステップではドライブは最終ＲＭＤ（Ｃ４）を記録マネジメント領域に記録する（ＳＴＥＰ６−２）。ここで、図３６（ａ）に最終ＲＭＤ（Ｃ４）の内容を示す。第三のステップではドライブは光ディスク１１のデータ領域にユーザデータを記録していく（ＳＴＥＰ６−３）。ユーザデータの記録を完了したら次のステップに移行する。第四のステップではドライブは最終ＲＭＤ（Ｃ５）を記録マネジメント領域に記録する（ＳＴＥＰ６−４）。ここで、図３６（ｂ）に最終ＲＭＤ（Ｃ５）の内容を示す。第五のステップでは、ドライブは初期ＲＭＤ（Ａ２）を記録マネジメント領域に記録する（ＳＴＥＰ６−５）。ここで、図３６（ｃ）に初期ＲＭＤ（Ａ２）の内容を示す。第六のステップでは、ＲＭＤのフィールド６以降に保存されたビットマップの情報を参考に、データ領域の未記録部分をパディングする（ＳＴＥＰ６−６）。第七のステップでは、ドライブは光ディスク１１のリードアウト領域の第三ガード領域（Ｙ１０）を記録する（ＳＴＥＰ６−７）。第八のステップではドライブはＲ物理フォーマット情報領域とリファレンスコード領域を記録する（ＳＴＥＰ６−８）。このときＲ物理フォーマット情報領域に記録するＰＦＩのＲＺｏｎｅの最終ＰＳＮ領域には“７３５４３Ｆｈ”が設定されている。第九のステップではドライブは最終ＲＭＤ（Ｃ６）を記録マネジメント領域に記録する（ＳＴＥＰ６−９）。さらに、記録マネジメント領域の未記録のまま残っている領域をこの最終ＲＭＤ（Ｃ６）でパディングし、さらに最終ＲＭＤ（Ｃ６）を記録マネジメント情報複製領域にコピーする。ここで、図３６（ｄ）に最終ＲＭＤ（Ｃ６）の内容を示す。
【０１１７】
このフローではまず、“モード選択”動作が行われるが、これは省略条件の１．にあたる動作であるため、ＲＤＺリードインの記録と、最終ＲＭＤ（Ｃ４）の記録で処理が完了する。ここで、図３６（ａ）に示されるように、ディスク状態情報は“２３ｈ”となり、光ディスク１１がフラグメント記録モードとなっている。また、フィールド４のＲＺｏｎｅ終了ＰＳＮは、フラグメント記録モードではＲＺｏｎｅのサイズとデータ領域のサイズが一致することから、データ領域の最後の物理セクタのＰＳＮである“００７３５４３Ｆｈ”が保存されている。つぎに、データの記録後には、図３６（ｂ）に示される最終ＲＭＤ（Ｃ５）が記録される。このときＲＭＤのフィールド３とフィールド４の値は変化しないが、実際には図示しないフィールド６以降のビットマップの値が変化している。最後に、“ファイナライズ”動作が実行される。まず、図３６（ｃ）に示される初期ＲＭＤ（Ａ２）が記録されている。ここで、現在ディスクがフラグメント記録モードであるため、ＲＭＤのフィールド０のディスク状態情報は“２１ｈ”が設定されている。さらに、フィールド３のフォーマット動作コードには、“ファイナライズ”動作を示す“０２ｈ”が保存されている。フォーマット情報１とフォーマット情報２は０のデータでうめられている。一方、ＲＭＤのフィールド４には現状の光ディスク１１のＲＺｏｎｅのサイズが正しく保存されている。“ファイナライズ”動作の最後には図３６（ｄ）に示されるように、最終ＲＭＤ（Ｃ３）が記録されている。ここで、ファイナライズ動作が完了したので、ＲＭＤのフィールド０のディスク状態情報は“２２ｈ”、すなわちフルファイナライズ状態に設定されている。また、ＲＭＤのフィールド３はリセットされ、すべて０のデータが設定されている。
【０１１８】
図３０に、ドライブが単層の記録層をもつファイナライズ状態の光ディスク１１に対して、シーケンシャルフォーマッティング記録モードで光ディスク１１に記録を行う場合のフローを示す。このフローでは“ユーザデータ消去”、“シーケンシャルパディング”、“ファイナライズ”動作が同時に実施されている。
【０１１９】
第一のステップではドライブは初期ＲＭＤ（Ａ３）を記録マネジメント領域に記録する（ＳＴＥＰ７−１）。ここで、図３７（ａ）に初期ＲＭＤ（Ａ３）の内容を示す。第二のステップではドライブはＲ物理フォーマット情報領域を記録する（ＳＴＥＰ７−２）。このとき記録するＰＦＩのＲＺｏｎｅの最終ＰＳＮ領域には“００００００ｈ”が設定されている。第三のステップではドライブは光ディスク１１のデータ領域の先頭、すなわち先頭ＰＳＮが３００００ｈのＰＳブロックから順にパディングを実行していく（ＳＴＥＰ７−３）。パディングは最終ＰＳＮが５２ＦＦＦＦｈのＰＳブロックまで行われる。第四のステップでは、第三のステップで記録した記録領域の次のＰＳブロックからターミネータを記録する（ＳＴＥＰ７−４）。第五のステップではドライブはＲ物理フォーマット情報領域を記録する（ＳＴＥＰ７−５）。このとき記録するＰＦＩのＲＺｏｎｅの最終ＰＳＮ領域には“５２ＦＦＦＦｈ”が設定されている。第六のステップではドライブは最終ＲＭＤ（Ｃ７）を記録マネジメント領域に記録する（ＳＴＥＰ７−６）。さらに最終ＲＭＤ（Ｃ７）を記録マネジメント情報複製領域にコピーする。ここで、図３７（ｂ）に最終ＲＭＤ（Ｃ７）の内容を示す。
【０１２０】
このフローではまず、図３７（ａ）に示される初期ＲＭＤ（Ａ３）が記録される。ここで、光ディスク１１がシーケンシャルフォーマッティング記録モードであるため、ＲＭＤのフィールド０のディスク状態情報には、“１１ｈ”が設定されている。また、ＲＭＤのフィールド３のフォーマット動作コードには、同時に実行するフォーマット動作のうち、最後に実行する“ファイナライズ”動作を示す“０２ｈ”が設定されている。さらに、ＲＭＤのフィールド４は、実行するフォーマット動作に“ユーザデータ消去”が含まれるため、すべて０のデータが設定されている。最後に、図３７（ｂ）示された最終ＲＭＤ（Ｃ７）を記録することで処理は完了する。ここで、“ファイナライズ”動作が完了したため、ＲＭＤのフィールド０のディスク状態情報には、ファイナライズ状態を示す“１２ｈ”が設定されている。フィールド３はリセットされ、すべて０のデータが設定されている。フィールド４には、“シーケンシャルパディング”動作が完了したので、実際のＲＺｏｎｅの範囲が設定されている。
【０１２１】
図３０に、ドライブが単層の記録層をもつファイナライズ状態の光ディスク１１に対して、シーケンシャルフォーマッティング記録モードで光ディスク１１に記録を行う場合のフローを示す。このフローでは “シーケンシャルパディング”、“ファイナライズ”動作が同時に実施され、“ファイナライズ”動作の一部であるターミネータの記録中に、フォーマット動作が中断された手順を示している。
【０１２２】
第一のステップではドライブは初期ＲＭＤ（Ａ４）を記録マネジメント領域に記録する（ＳＴＥＰ８−１）。ここで、図３８（ａ）に初期ＲＭＤ（Ａ４）の内容を示す。第二のステップではドライブはＲ物理フォーマット情報領域を記録する（ＳＴＥＰ８−２）。このとき記録するＰＦＩのＲＺｏｎｅの最終ＰＳＮ領域には“００００００ｈ”が設定されている。第三のステップではドライブは光ディスク１１のデータ領域に既に形成されたＲＺｏｎｅの次のＰＳブロック、すなわち先頭ＰＳＮが５３００００ｈのＰＳブロックから順にパディングを実行していく（ＳＴＥＰ８−３）。パディングは最終ＰＳＮが６２ＦＦＦＦｈのＰＳブロックまで行われる。第四のステップでは、第三のステップで記録した記録領域の次のＰＳブロックからターミネータの記録を開始する（ＳＴＥＰ８−４）。第五のステップではドライブはターミネータの記録の中止、すなわちフォーマット動作の中止命令を受信する（ＳＴＥＰ８−５）。第六のステップではドライブは中断ＲＭＤ（Ｄ１）を記録マネジメント領域に記録する（ＳＴＥＰ８−６）。さらに中断ＲＭＤ（Ｄ１）を記録マネジメント情報複製領域にコピーする。ここで、図３８（ｂ）に中断ＲＭＤ（Ｄ１）の内容を示す。
【０１２３】
このフローではまず、図３８（ａ）に示される初期ＲＭＤ（Ａ４）が記録される。ここで、光ディスク１１がシーケンシャルフォーマッティング記録モードであるため、ＲＭＤのフィールド０のディスク状態情報には、“１１ｈ”が設定されている。また、ＲＭＤのフィールド３のフォーマット動作コードには、同時に実行するフォーマット動作のうち、最後に実行する“ファイナライズ”動作を示す“０２ｈ”が設定されている。さらに、ＲＭＤのフィールド４は、実行するフォーマット動作に“ユーザデータ消去”、“ＲＭＤ初期化”が含まれていないので、すでに形成されているＲＺｏｎｅの開始と終了ＰＳＮが設定されている。フローは、ターミネータの記録中にユーザからの中断要求を受信し、最後に、図３８（ｂ）示された中断ＲＭＤ（Ｄ１）を記録することで処理は完了する。ここで、“ファイナライズ”を中断したため、ＲＭＤのフィールド０のディスク状態情報には、図２７の条件にしたがい、“１３ｈ”が設定されている。フィールド３のフォーマット動作コードには、初期ＲＤＭ（Ａ４）と同じ値である“０２ｈ”が設定されている。さらに、フォーマット情報１には記録を中断した物理セクタのＰＳＮが設定され、フォーマット情報２にはターミネータを示す“０３ｈ”が設定されている。一方、フィールド４には、初期ＲＭＤ（Ａ４）のＲＺｏｎｅ終了ＰＳＮが“００００００００ｈ”ではないため、（ＳＴＥＰ８−３）でパディング動作を実施したにもかかわらず、初期ＲＭＤ（Ａ４）と同じ値を設定している。ただし、図示しないフィールド６以降のビットマップのパディングした領域に対応する部分が１ｂに設定される。
【０１２４】
図３２に、ドライブが２層の記録層をもつ未記録の光ディスク１１に対して、シーケンシャルフォーマッティング記録モードで光ディスク１１に記録を行う場合のフローを示す。このフローでは“モード選択”動作、ユーザデータの記録、“ファイナライズ”動作がそれぞれ実行されている。ここで、第一から第二までのステップが、“モード選択”動作、第三から第四までのステップが、ユーザデータの記録、第五から第十までのステップが、“ファイナライズ”動作に関する処理である。
【０１２５】
第一のステップではドライブはＲＤＺリードインを記録する（ＳＴＥＰ９−１）。第二のステップではドライブは最終ＲＭＤ（Ｃ１１）を記録マネジメント領域に記録する（ＳＴＥＰ９−２）。ここで、図３９（ａ）に最終ＲＭＤ（Ｃ１１）の内容を示す。第三のステップではドライブは光ディスク１１のレイヤー０のデータ領域の先頭、すなわち先頭ＰＳＮが４００００ｈのＰＳブロックから順にユーザデータを記録していく（ＳＴＥＰ９−３）。また、レイヤー１のデータ領域の記録を実行する前にはレイヤー０の内周側のガード領域である第一ガード領域（Ｚ２）と外周側のガード領域である第二ガード領域（Ｚ１１）をパディングする。ユーザデータとガード領域の記録を完了したら次のステップに移行する。ここで、レイヤー０のＲＺｏｎｅの最終ＰＳＮは“７３ＤＢＦＦｈ”とし、記録したデータのサイズを“８０００００ｈ”とする。第四のステップではドライブは最終ＲＭＤ（Ｃ１２）を記録マネジメント領域に記録する（ＳＴＥＰ９−４）。ここで、図３９（ｂ）に最終ＲＭＤ（Ｃ１２）の内容を示す。第五のステップでは、ドライブは初期ＲＭＤ（Ａ１１）を記録マネジメント領域に記録する（ＳＴＥＰ９−５）。ここで、図３９（ｃ）に初期ＲＭＤ（Ａ１１）の内容を示す。第六のステップでは、第三のステップで記録した記録領域の次のＰＳブロックからターミネータを記録する（ＳＴＥＰ９−６）。さらに、レイヤー１のデータ領域の残りの領域であるパディング領域と、レイヤー１の外周側のガード領域である第三ガード領域（Ｚ１８）をパディングする。第七のステップではドライブはＲ物理フォーマット情報領域とリファレンスコード領域を記録する（ＳＴＥＰ９−７）。このときＲ物理フォーマット情報領域に記録するＰＦＩのＲＺｏｎｅの最終ＰＳＮ領域には“９Ｃ４７ＦＦｈ”が設定されている。さらに、ドライブはリードイン領域のテスト領域である第一ドライブテスト領域（Ｚ３）をパディングする。第八のステップではドライブは最終ＲＭＤ（Ｃ１３）を記録マネジメント領域に記録する（ＳＴＥＰ９−８）。さらに、記録マネジメント領域の未記録のまま残っている領域をこの最終ＲＭＤ（Ｃ１３）でパディングする。ここで、図３９（ｄ）に最終ＲＭＤ（Ｃ１３）の内容を示す。第九のステップではドライブは最終ＲＭＤ（Ｃ１３）を記録マネジメント情報複製領域にコピーし、さらに同様のデータで記録マネジメント情報複製領域の未記録のまま残っている領域をパディングする（ＳＴＥＰ９−９）。第十のステップではドライブはレイヤー１の内周側ガード領域である第四ガード領域（Ｚ２０）をパディングする。
【０１２６】
このフローではまず、“モード選択”動作が行われるが、これは省略条件の１．にあたる動作であるため、ＲＤＺリードインの記録と、最終ＲＭＤ（Ｃ１１）の記録で処理が完了する。ここで、図３９（ａ）に示されるように、ディスク状態情報は“１３ｈ”となり、光ディスク１１がシーケンシャルフォーマッティング記録モードとなっている。また、フィールド４のＲＺｏｎｅ終了ＰＳＮは、データ領域の記録が行われていないことから、“００００００００ｈ”が保存されている。つぎに、データの記録では、データをＰＳＮが“３００００ｈ”の物理セクタから、“８０００００ｈ”分記録を実行したので、図３９（ｂ）に示されるように、ＲＭＤのフィールド４のＲＺｏｎｅ終了ＰＳＮは“９Ｃ４７ＦＦｈ”と設定されている。最後に、“ファイナライズ”動作が実行される。まず、図３９（ｃ）に示される初期ＲＭＤ（Ａ１１）が記録されている。ここで、現在ディスクがシーケンシャルフォーマッティング記録モードであるため、ＲＭＤのフィールド０のディスク状態情報は“１１ｈ”が設定されている。さらに、フィールド３のフォーマット動作コードには、“ファイナライズ”動作を示す“０２ｈ”が保存されている。フォーマット情報１とフォーマット情報２は０のデータでうめられている。一方、ＲＭＤのフィールド４には現状の光ディスク１１のＲＺｏｎｅのサイズが正しく保存されている。“ファイナライズ”動作の最後には図３９（ｄ）に示されるように、最終ＲＭＤ（Ｃ１３）が記録され、その後レイヤー１のガード領域の記録が実行されている。ここで、ファイナライズ動作が完了したので、ＲＭＤのフィールド０のディスク状態情報は“１２ｈ”、すなわちシーケンシャルフォーマッティング記録モードでファイナライズされた状態に設定されている。また、ＲＭＤのフィールド３はリセットされ、すべて０のデータが設定されている。
【０１２７】
図３３に、ドライブが２層の記録層をもつファイナライズ状態の光ディスク１１に対して、シーケンシャルフォーマッティング記録モードで光ディスク１１に記録を行う場合のフローを示す。このフローでは“ユーザデータ消去”、“シーケンシャルパディング”、“ファイナライズ”動作が同時に実施されている。
【０１２８】
第一のステップではドライブは初期ＲＭＤ（Ａ１２）を記録マネジメント領域に記録する（ＳＴＥＰ１０−１）。ここで、図４０（ａ）に初期ＲＭＤ（Ａ１２）の内容を示す。第二のステップではドライブはＲ物理フォーマット情報領域を記録する（ＳＴＥＰ１０−２）。このとき記録するＰＦＩのＲＺｏｎｅの最終ＰＳＮ領域には“００００００ｈ”が設定されている。第三のステップではドライブは光ディスク１１のレイヤー０のデータ領域の先頭、すなわち先頭ＰＳＮが４００００ｈのＰＳブロックからパディングを開始する（ＳＴＥＰ１０−３）。また、レイヤー１のデータ領域の記録を実行する前に外周側のガード領域である第二ガード領域（Ｚ１１）をパディングする。第四のステップでは、第三のステップで記録した記録領域の次のＰＳブロックからターミネータを記録する（ＳＴＥＰ１０−４）。さらに、レイヤー１のデータ領域の残りの領域であるパディング領域と、レイヤー１の外周側のガード領域である第三ガード領域（Ｚ１８）をパディングする。第五のステップではドライブはＲ物理フォーマット情報領域を記録する（ＳＴＥＰ１０−５）。このとき記録するＰＦＩのＲＺｏｎｅの最終ＰＳＮ領域には“９Ｃ４７ＦＦｈ”が設定されている。第六のステップではドライブは最終ＲＭＤ（Ｃ１４）を記録マネジメント領域に記録する（ＳＴＥＰ１０−６）。さらに最終ＲＭＤ（Ｃ１４）を記録マネジメント情報複製領域にコピーする。ここで、図４０（ｂ）に最終ＲＭＤ（Ｃ１４）の内容を示す。
【０１２９】
このフローではまず、図４０（ａ）に示される初期ＲＭＤ（Ａ１２）が記録される。ここで、光ディスク１１がシーケンシャルフォーマッティング記録モードであるため、ＲＭＤのフィールド０のディスク状態情報には、“１１ｈ”が設定されている。また、ＲＭＤのフィールド３のフォーマット動作コードには、同時に実行するフォーマット動作のうち、最後に実行する“ファイナライズ”動作を示す“０２ｈ”が設定されている。さらに、ＲＭＤのフィールド４は、実行するフォーマット動作に“ユーザデータ消去”が含まれるため、すべて０のデータが設定されている。最後に、図４０（ｂ）示された最終ＲＭＤ（Ｃ１４）を記録することで処理は完了する。ここで、“ファイナライズ”動作が完了したため、ＲＭＤのフィールド０のディスク状態情報には、ファイナライズ状態を示す“１２ｈ”が設定されている。フィールド３はリセットされ、すべて０のデータが設定されている。フィールド４には、“シーケンシャルパディング”動作が完了したので、実際のＲＺｏｎｅの範囲が設定されている。
【０１３０】
図３４に、ドライブが２層の記録層をもつファイナライズ状態の光ディスク１１に対して、シーケンシャルフォーマッティング記録モードで光ディスク１１に記録を行う場合のフローを示す。このフローでは “シーケンシャルパディング”、“ファイナライズ”動作が同時に実施され、“ファイナライズ”動作の一部であるターミネータの記録中に、フォーマット動作が中断された手順を示している。
【０１３１】
第一のステップではドライブは初期ＲＭＤ（Ａ１３）を記録マネジメント領域に記録する（ＳＴＥＰ１１−１）。ここで、図４１（ａ）に初期ＲＭＤ（Ａ１３）の内容を示す。第二のステップではドライブはＲ物理フォーマット情報領域を記録する（ＳＴＥＰ１１−２）。このとき記録するＰＦＩのＲＺｏｎｅの最終ＰＳＮ領域には“００００００ｈ”が設定されている。第三のステップではドライブは光ディスク１１のデータ領域に既に形成されたＲＺｏｎｅの次のＰＳブロック、すなわち先頭ＰＳＮが９Ｃ４８００ｈのＰＳブロックから順にパディングを実行していく（ＳＴＥＰ１１−３）。パディングは最終ＰＳＮがＡＣ４７ＦＦｈのＰＳブロックまで行われる。第四のステップでは、第三のステップで記録した記録領域の次のＰＳブロックからターミネータの記録を開始する（ＳＴＥＰ１１−４）。第五のステップではドライブはターミネータの記録の中止、すなわちフォーマット動作の中止命令を受信する（ＳＴＥＰ１１−５）。第六のステップではドライブは中断ＲＭＤ（Ｄ１１）を記録マネジメント領域に記録する（ＳＴＥＰ１１−６）。さらに中断ＲＭＤ（Ｄ１１）を記録マネジメント情報複製領域にコピーする。ここで、図４１（ｂ）に中断ＲＭＤ（Ｄ１１）の内容を示す。
【０１３２】
このフローではまず、図４１（ａ）に示される初期ＲＭＤ（Ａ１３）が記録される。ここで、光ディスク１１がシーケンシャルフォーマッティング記録モードであるため、ＲＭＤのフィールド０のディスク状態情報には、“１１ｈ”が設定されている。また、ＲＭＤのフィールド３のフォーマット動作コードには、同時に実行するフォーマット動作のうち、最後に実行する“ファイナライズ”動作を示す“０２ｈ”が設定されている。さらに、ＲＭＤのフィールド４は、実行するフォーマット動作に“ユーザデータ消去”、“ＲＭＤ初期化”が含まれていないので、すでに形成されているＲＺｏｎｅの開始と終了ＰＳＮが設定されている。フローは、ターミネータの記録中にユーザからの中断要求を受信し、最後に、図４１（ｂ）示された中断ＲＭＤ（Ｄ１１）を記録することで処理は完了する。ここで、“ファイナライズ”を中断したため、ＲＭＤのフィールド０のディスク状態情報には、図２７の条件にしたがい、“１３ｈ”が設定されている。フィールド３のフォーマット動作コードには、初期ＲＤＭ（Ａ１３）と同じ値である“０２ｈ”が設定されている。さらに、フォーマット情報１には記録を中断した物理セクタのＰＳＮが設定され、フォーマット情報２にはターミネータを示す“０３ｈ”が設定されている。一方、フィールド４には、初期ＲＭＤ（Ａ１３）のＲＺｏｎｅ終了ＰＳＮが“００００００００ｈ”ではないため、（ＳＴＥＰ１１−３）でパディング動作を実施したにもかかわらず、初期ＲＭＤ（Ａ１３）と同じ値を設定している。ただし、図示しないフィールド６以降のビットマップのパディングした領域に対応する部分が１ｂに設定される。
【０１３３】
以下に、本実施形態についてまとめる。
【０１３４】
（１）本実施形態に係る情報記録装置は、情報記録媒体に管理情報の記録を行う機能を有し、前記管理情報の内容を更新する場合には、現在使用中のブロックの次のブロックに新たな管理情報を記録し、管理情報の読み取り特性が所定の基準に満たない場合には、その記録位置をディフェクトとして、ディフェクト情報に登録し、前記ディフェクト情報を含む管理情報を新たに次のブロックに記録する。
【０１３５】
（２）本実施形態に係る情報記録装置は、情報記録媒体に管理情報及び索引情報の記録を行う機能を有し、記録した前記索引情報の読み取り特性が所定の基準に満たない場合には、その記録位置をディフェクトとして、ディフェクト情報に登録し、ディフェクト情報が更新された管理情報を情報記録媒体に記録し、その後、前記ディフェクト情報と前記ディフェクト情報が更新された管理情報の記録位置を含む索引情報を記録媒体に記録する。
【０１３６】
（３）本実施形態に係る情報記録装置は、情報記録媒体に管理情報または索引情報を複数同時に記録する機能と、記録した管理情報または索引情報の読み取り特性を判定する機能とを有し、前記管理情報、もしくは前記索引情報を複数同時に記録した際に、前記管理情報、もしくは前記索引情報の読み取り特性が所定の基準に満たない場合には、その記録位置をディフェクトとして、ディフェクト情報に登録し、前記ディフェクト情報を含む前記管理情報、もしくは前記索引情報を現在使用中のブロックの次のブロックに一つだけ記録する。
【０１３７】
（４）本実施形態に係る情報記録装置は、情報記録媒体に管理情報の記録を行う機能と、前記管理情報の一部として、情報記録媒体の状態を示す情報とフォーマットの種類を示す情報とを設定する機能と、情報記録媒体にフォーマット処理を実施する機能とを有し、フォーマット処理の開始時に第一の管理情報を記録し、フォーマット処理の終了時に第二の管理情報を記録し、前記第一の管理情報記録時には、前記情報記録媒体の状態を示す情報に、フォーマットの処理中であることを示す情報を設定し、かつフォーマットの種類を示す情報には処理を実行するフォーマットの種類を設定し、前記第二の管理情報記録時には、情報記録媒体の状態を示す情報に、情報記録媒体の記録状態を設定し、かつフォーマットの種類を示す情報からフォーマットの種類を消去する。
【０１３８】
（５）本実施形態に係る情報記録装置は、情報記録媒体に管理情報の記録を行う機能と、前記管理情報の一部として、情報記録媒体の状態を示す情報とフォーマットの種類を示す情報とを設定する機能と、情報記録媒体に複数のフォーマットを連続して処理する機能とを有し、前記複数のフォーマットの最初のフォーマットの開始時に第一の管理情報を記録し、前記複数のフォーマットの最後のフォーマット処理の終了時に第二の管理情報を記録し、前記第一の管理情報記録時には、前記情報記録媒体の状態を示す情報に、フォーマットの処理中であることを示す情報を設定し、かつフォーマットの種類を示す情報には前記複数のフォーマットのうち、最後に処理を実行するフォーマットの種類を設定し、前記第二の管理情報記録時には、情報記録媒体の状態を示す情報に、情報記録媒体の記録状態を設定し、かつフォーマットの種類を示す情報からフォーマットの種類を消去する。
【０１３９】
（６）本実施形態に係る情報記録装置は、上記（４）又は（５）に加えて、フォーマットに含まれる処理が管理情報、もしくは索引情報の記録のみである場合には、前記第一の管理情報の記録を省略する。
【０１４０】
（７）本実施形態に係る情報記録装置は、上記（４）又は（５）に加えて、前記管理情報の一部として、情報記録媒体の状態を示す情報、フォーマットの種類及び情報記録媒体がフォーマットされた範囲を示す情報とを設定する機能と、情報記録媒体に複数のフォーマットを連続して処理する機能とを有し、フォーマットの処理の最中に第三の管理情報を記録する場合には、第一の管理情報と同じ値を設定する。
【０１４１】
（８）本実施形態に係る情報記録方法は、情報記録媒体に管理情報の記録を行う工程を有し、前記管理情報の内容を更新する場合には、現在使用中のブロックの次のブロックに新たな管理情報を記録し、管理情報の読み取り特性が所定の基準に満たない場合には、その記録位置をディフェクトとして、ディフェクト情報に登録し、前記ディフェクト情報を含む管理情報を新たに次のブロックに記録する。
【０１４２】
（９）本実施形態に係る情報記録方法は、情報記録媒体に管理情報及び索引情報の記録を行う工程と、記録した前記管理情報または索引情報の読み取り特性を判定する工程を有し、記録した前記索引情報の読み取り特性が所定の基準に満たない場合には、その記録位置をディフェクトとして、ディフェクト情報に登録し、ディフェクト情報が更新された管理情報を情報記録媒体に記録し、その後、前記ディフェクト情報と前記ディフェクト情報が更新された管理情報の記録位置を含む索引情報を記録媒体に記録する。
【０１４３】
（１０）本実施形態に係る情報記録方法は、情報記録媒体に管理情報または索引情報を複数同時に記録する工程と、記録した管理情報または索引情報の読み取り特性を判定する工程とを有し、前記管理情報、もしくは前記索引情報を複数同時に記録した際に、前記管理情報、もしくは前記索引情報の読み取り特性が所定の基準に満たない場合には、その記録位置をディフェクトとして、ディフェクト情報に登録し、前記ディフェクト情報を含む前記管理情報、もしくは前記索引情報を現在使用中のブロックの次のブロックに一つだけ記録する。
【０１４４】
（１１）本実施形態に係る情報記録方法は、情報記録媒体に管理情報の記録を行う工程と、前記管理情報の一部として、情報記録媒体の状態を示す情報とフォーマットの種類を示す情報とを設定する工程と、情報記録媒体にフォーマット処理を実施する工程とを有し、フォーマット処理の開始時に第一の管理情報を記録し、フォーマット処理の終了時に第二の管理情報を記録し、前記第一の管理情報記録時には、前記情報記録媒体の状態を示す情報に、フォーマットの処理中であることを示す情報を設定し、かつフォーマットの種類を示す情報には処理を実行するフォーマットの種類を設定し、前記第二の管理情報記録時には、情報記録媒体の状態を示す情報に、情報記録媒体の記録状態を設定し、かつフォーマットの種類を示す情報からフォーマットの種類を消去する。
【０１４５】
（１２）本実施形態に係る情報記録方法は、情報記録媒体に管理情報の記録を行う工程と、前記管理情報の一部として、情報記録媒体の状態を示す情報とフォーマットの種類を示す情報とを設定する工程と、情報記録媒体に複数のフォーマットを連続して処理する工程とを有し、前記複数のフォーマットの最初のフォーマットの開始時に第一の管理情報を記録し、前記複数のフォーマットの最後のフォーマット処理の終了時に第二の管理情報を記録し、前記第一の管理情報記録時には、前記情報記録媒体の状態を示す情報に、フォーマットの処理中であることを示す情報を設定し、かつフォーマットの種類を示す情報には前記複数のフォーマットのうち、最後に処理を実行するフォーマットの種類を設定し、前記第二の管理情報記録時には、情報記録媒体の状態を示す情報に、情報記録媒体の記録状態を設定し、かつフォーマットの種類を示す情報からフォーマットの種類を消去する。
【０１４６】
（１３）本実施形態に係る情報記録方法は、上記（１１）又は（１２）に加えて、フォーマットに含まれる処理が管理情報、もしくは索引情報の記録のみである場合には、前記第一の管理情報の記録を省略する。
【０１４７】
（１４）本実施形態に係る情報記録方法は、上記（１１）又は（１２）に加えて、前記管理情報の一部として、情報記録媒体の状態を示す情報、フォーマットの種類及び情報記録媒体がフォーマットされた範囲を示す情報とを設定する工程と、情報記録媒体に複数のフォーマットを連続して処理する工程とを有し、フォーマットの処理の最中に第三の管理情報を記録する場合には、第一の管理情報と同じ値を設定する。
【０１４８】
（１５）本実施形態に係る情報記憶媒体は、管理情報を記録可能な領域と、前記管理情報の記録位置を示す索引情報が記録可能な領域を有し、前記管理情報の内容を更新する場合には、現在使用中のブロックの次のブロックに新たな管理情報を記録し、管理情報の読み取り特性が所定の基準に満たない場合には、その記録位置をディフェクトとして、ディフェクト情報に登録し、前記ディフェクト情報を含む管理情報を新たに次のブロックに記録する。
【０１４９】
（１６）本実施形態に係る情報記憶媒体は、管理情報を記録可能な領域と、前記管理情報の記録位置を示す索引情報が記録可能な領域を有し、前記索引情報が記録可能な領域に記録した索引情報の読み取り特性が所定の基準に満たない場合には、その記録位置をディフェクトとして、ディフェクト情報に登録し、ディフェクト情報が更新された管理情報を前記管理情報を記録可能な領域に記録し、その後、前記ディフェクト情報と前記ディフェクト情報が更新された管理情報の記録位置を含む索引情報を前記索引情報が記録可能な領域に記録する。
【０１５０】
（１７）本実施形態に係る情報記憶媒体は、管理情報を記録可能な領域と、前記管理情報の記録位置を示す索引情報が記録可能な領域を有し、前記管理情報、もしくは前記索引情報を複数同時に記録した際に、前記管理情報、もしくは前記索引情報の読み取り特性が所定の基準に満たない場合には、その記録位置をディフェクトとして、ディフェクト情報に登録し、前記ディフェクト情報を含む前記管理情報、もしくは前記索引情報を一つだけ次のブロックに記録する。
【０１５１】
（１８）本実施形態に係る情報記憶媒体は、管理情報を記録可能な領域と、前記管理情報の記録位置を示す索引情報が記録可能な領域を有し、前記管理情報は、情報記録媒体の状態を示す情報とフォーマットの種類を示す情報を有し、フォーマット処理の開始時に第一の管理情報が記録され、フォーマット処理の終了時に第二の管理情報が記録され、前記第一の管理情報に含まれる前記情報記録媒体の状態を示す情報は、フォーマットの処理中であることを示しており、かつ前記第一の管理情報含まれるフォーマットの種類を示す情報には処理を実行するフォーマットの種類が設定されており、前記第二の管理情報に含まれる情報記録媒体の状態を示す情報が、情報記録媒体の記録状態を示しており、かつ前記管理情報に含まれるフォーマットの種類を示す情報からフォーマットの種類が消去されている。
【０１５２】
（１９）本実施形態に係る情報記憶媒体は、管理情報を記録可能な領域と、前記管理情報の記録位置を示す索引情報が記録可能な領域を有し、前記管理情報は、情報記録媒体の状態を示す情報とフォーマットの種類を示す情報を有し、複数のフォーマットを連続的に処理する場合には、最初のフォーマットの開始時に第一の管理情報が記録され、最後のフォーマットの終了時に第二の管理情報が記録され、前記第一の管理情報に含まれる前記情報記録媒体の状態を示す情報は、フォーマットの処理中であることを示しており、かつ前記第一の管理情報含まれるフォーマットの種類を示す情報には、前記複数のフォーマットのうち、最後に処理を実行するフォーマットの種類が設定されており、前記第二の管理情報に含まれる情報記録媒体の状態を示す情報が、情報記録媒体の記録状態を示しており、かつ前記管理情報に含まれるフォーマットの種類を示す情報からフォーマットの種類が消去されている。
【０１５３】
（２０）本実施形態に係る情報記憶媒体は、上記（１８）又は（１９）に加えて、フォーマットに含まれる処理が管理情報、もしくは索引情報の記録のみである場合には、前記第一の管理情報の記録が省略される。
【０１５４】
（２１）本実施形態に係る情報記憶媒体は、上記（１８）又は（１９）に加えて、前記管理情報は、情報記録媒体の状態を示す情報、フォーマットの種類を示す情報及びフォーマットの範囲を示す情報を有し、フォーマットの処理の最中に第三の管理情報を記録する場合には、前記フォーマットの範囲を示す情報を変更しない。
【０１５５】
（２２）本実施形態に係る情報再生装置は、情報再生装置が再生を行う情報記録媒体は管理情報の内容を更新する場合には、現在使用中のブロックの次のブロックに新たな管理情報を記録し、管理情報の読み取り特性が所定の基準に満たない場合には、その記録位置をディフェクトとして、ディフェクト情報に登録し、前記ディフェクト情報を含む管理情報が新たに次のブロックに記録されており、情報記録媒体から管理情報及び索引情報の再生を行う機能と、管理情報及び索引情報に保存されたディフェクト情報を元に最新の管理情報を決定する機能を有する。
【０１５６】
（２３）本実施形態に係る情報再生方法は、該情報再生方法により再生を行う情報記録媒体は管理情報の内容を更新する場合には、現在使用中のブロックの次のブロックに新たな管理情報を記録し、管理情報の読み取り特性が所定の基準に満たない場合には、その記録位置をディフェクトとして、ディフェクト情報に登録し、前記ディフェクト情報を含む管理情報が新たに次のブロックに記録されており、情報記録媒体から管理情報及び索引情報の再生を行う工程と、管理情報及び索引情報に保存されたディフェクト情報を元に最新の管理情報を決定する工程を有する。
【０１５７】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【０１５８】
【図１】本発明の一実施形態に係る光ディスク装置の構成の一例を示すブロック図。
【図２】本発明の一実施形態に係る光ディスクの模式図。
【図３】本発明の一実施形態に係る光ディスクの物理仕様の一例を示す図。
【図４】本発明の一実施形態に係る光ディスクの情報記録再生層のレイアウトを示す図。
【図５】本発明の一実施形態に係る２層光ディスクの記録可能領域の詳細なレイアウトの一例を示す図。
【図６】本発明の一実施形態に係る単層光ディスクの記録可能領域の詳細なレイアウトの一例を示す図。
【図７】本発明の一実施形態に係る光ディスクの記録マネジメント情報複製領域と記録マネジメント領域及び、Ｒ物理フォーマット情報領域の構成を示す図。
【図８】本発明の一実施形態に係る光ディスクのリードイン記録マネジメント情報の詳細を示す図。
【図９】本発明の一実施形態に係る光ディスクの物理フォーマット情報の詳細を示す図。
【図１０】本発明の一実施形態に係る光ディスクの記録マネジメント情報の構成の一例を示す図。
【図１１】本発明の一実施形態に係る光ディスクの記録マネジメント情報のフィールド０の内容の一例を示す図。
【図１２】本発明の一実施形態に係る光ディスクの記録マネジメント情報のフィールド３の内容の一例を示す図。
【図１３】本発明の一実施形態に係る光ディスクの記録マネジメント情報のフィールド４の内容の一例を示す図。
【図１４】本発明の一実施形態に係る光ディスクの記録マネジメント情報のフィールド５の内容の一例を示す図。
【図１５】本発明の一実施形態に係る光ディスクの記録マネジメント情報のビットマップの構成の一例を示す図。
【図１６】本発明の一実施形態に係る光ディスクの記録マネジメント領域の記録マネジメント情報の交代処理の手順を示した図。
【図１７】本発明の一実施形態に係る光ディスクの記録マネジメント情報複製領域の記録マネジメント情報の交代処理の手順を示した図。
【図１８】本発明の一実施形態に係る光ディスクの記録マネジメント領域のパディング時における記録マネジメント情報の交代処理の手順を示した図。
【図１９】本発明の一実施形態に係る光ディスク装置において、記録マネジメント領域の記録マネジメント情報の交代を行う処理のフローチャート。
【図２０】本発明の一実施形態に係る光ディスクに保存されるフォーマット動作コードと対応ディスクの種類を示した図。
【図２１】本発明の一実施形態に係る光ディスク装置において、シーケンシャルフォーマッティング記録モードでデータ領域に記録をする場合の一例を説明する説明図。
【図２２】本発明の一実施形態に係る光ディスク装置において、フラグメント記録モードでデータ領域に記録をする場合の一例を説明する説明図。
【図２３】本発明の一実施形態に係る光ディスク装置において、光ディスクに対してフォーマット処理を実施する場合のフローチャート。
【図２４】本発明の一実施形態に係る光ディスク装置において、光ディスクに対して複数のフォーマットを一度に処理する場合のフローチャート。
【図２５】本発明の一実施形態に係る光ディスク装置において、光ディスクに対してフォーマット処理を実施し、処理の途中で記録マネジメント情報を記録する場合のフローチャート。
【図２６】本発明の一実施形態に係る光ディスク装置において、光ディスクに対してフォーマット処理行う際に、一部の処理を省略する場合のフローチャート。
【図２７】本発明の一実施形態に係る光ディスク装置において、フォーマットの処理を中断した場合に、ディスクに設定するディスク状態情報の種類を示す図。
【図２８】本発明の一実施形態に係る光ディスク装置において、単層光ディスクに対してシーケンシャルフォーマッティング記録モードで“モード選択”、“データ記録”、“ファイナライズ”処理を実施する場合のフローチャート。
【図２９】本発明の一実施形態に係る光ディスク装置において、単層光ディスクに対してフラグメント記録モードで“モード選択”、“データ記録”、“ファイナライズ”処理を実施する場合のフローチャート。
【図３０】本発明の一実施形態に係る光ディスク装置において、単層光ディスクに対してシーケンシャルフォーマッティング記録モードで“ユーザデータ消去”“シーケンシャルパディング”、“ファイナライズ”処理を一度に実施する場合のフローチャート。
【図３１】本発明の一実施形態に係る光ディスク装置において、単層光ディスクに対してシーケンシャルフォーマッティング記録モードで “シーケンシャルパディング”、“ファイナライズ”処理を一度に実施し、処理を途中で中断する場合のフローチャート。
【図３２】本発明の一実施形態に係る光ディスク装置において、２層光ディスクに対してシーケンシャルフォーマッティング記録モードで“モード選択”、“データ記録”、“ファイナライズ”処理を実施する場合のフローチャート。
【図３３】本発明の一実施形態に係る光ディスク装置において、２層光ディスクに対してシーケンシャルフォーマッティング記録モードで“ユーザデータ消去”“シーケンシャルパディング”、“ファイナライズ”処理を一度に実施する場合のフローチャート。
【図３４】本発明の一実施形態に係る光ディスク装置において、２層光ディスクに対してシーケンシャルフォーマッティング記録モードで “シーケンシャルパディング”、“ファイナライズ”処理を一度に実施し、処理を途中で中断する場合のフローチャート。
【図３５】本発明の一実施形態に係る光ディスク装置において、シーケンシャルフォーマッティング記録モードで “モード選択”、“データ記録”、“ファイナライズ”を実施した場合の記録マネジメント情報の内容を示す図。
【図３６】本発明の一実施形態に係る光ディスク装置において、フラグメント記録モードで “モード選択”、“データ記録”、“ファイナライズ”を実施した場合の記録マネジメント情報の内容を示す図。
【図３７】本発明の一実施形態に係る光ディスク装置において、シーケンシャルフォーマッティング記録モードで “ユーザデータ消去”、“シーケンシャルパディング”、“ファイナライズ”を実施した場合の記録マネジメント情報の内容を示す図。
【図３８】本発明の一実施形態に係る光ディスク装置において、シーケンシャルフォーマッティング記録モードで “シーケンシャルパディング”、“ファイナライズ”を実施し、処理を途中で中断した場合の記録マネジメント情報の内容を示す図。
【図３９】本発明の一実施形態に係る光ディスク装置において、２層ディスクに対してシーケンシャルフォーマッティング記録モードで “モード選択”、“データ記録”、“ファイナライズ”を実施した場合の記録マネジメント情報の内容を示す図。
【図４０】本発明の一実施形態に係る光ディスク装置において、２層ディスクに対してシーケンシャルフォーマッティング記録モードで “ユーザデータ消去”、“シーケンシャルパディング”、“ファイナライズ”を実施した場合の記録マネジメント情報の内容を示す図。
【図４１】本発明の一実施形態に係る光ディスク装置において、２層ディスクに対してシーケンシャルフォーマッティング記録モードで “シーケンシャルパディング”、“ファイナライズ”を実施し、処理を途中で中断した場合の記録マネジメント情報の内容を示す図。
【符号の説明】
【０１５９】
１１…光ディスク、１２…光ディスク装置、２１…ＰＵＨ／アクチュエータ、２２…ＰＤ、２３…プリアンプ、２４…サーボ回路、２５…ＬＤＤ、２６…記録信号処理回路、２７…ＲＦ信号処理回路、２８…アドレス信号処理回路、２９…コントローラ
【図１】
2008243298.tif 000003
【図２】
2008243298.tif 000004
【図３】
2008243298.tif 000005
【図４】
2008243298.tif 000006
【図５】
2008243298.tif 000007
【図６】
2008243298.tif 000008
【図７】
2008243298.tif 000009
【図８】
2008243298.tif 000010
【図９】
2008243298.tif 000011
【図１０】
2008243298.tif 000012
【図１１】
2008243298.tif 000013
【図１２】
2008243298.tif 000014
【図１３】
2008243298.tif 000015
【図１４】
2008243298.tif 000016
【図１５】
2008243298.tif 000017
【図１６】
2008243298.tif 000018
【図１７】
2008243298.tif 000019
【図１８】
2008243298.tif 000020
【図１９】
2008243298.tif 000021
【図２０】
2008243298.tif 000022
【図２１】
2008243298.tif 000023
【図２２】
2008243298.tif 000024
【図２３】
2008243298.tif 000025
【図２４】
2008243298.tif 000026
【図２５】
2008243298.tif 000027
【図２６】
2008243298.tif 000028
【図２７】
2008243298.tif 000029
【図２８】
2008243298.tif 000030
【図２９】
2008243298.tif 000031
【図３０】
2008243298.tif 000032
【図３１】
2008243298.tif 000033
【図３２】
2008243298.tif 000034
【図３３】
2008243298.tif 000035
【図３４】
2008243298.tif 000036
【図３５】
2008243298.tif 000037
【図３６】
2008243298.tif 000038
【図３７】
2008243298.tif 000039
【図３８】
2008243298.tif 000040
【図３９】
2008243298.tif 000041
【図４０】
2008243298.tif 000042
【図４１】
2008243298.tif 000043
【手続補正書】
【提出日】平成19年4月11日(2007.4.11)
【手続補正１】
【補正対象書類名】明細書
【補正対象項目名】００３８
【補正方法】変更
【補正の内容】
【００３８】
＜記録可能管理領域の構成＞
図７に記録マネジメント情報複製領域と記録マネジメント領域、及びＲ物理フォーマット情報領域の構成を示す。記録マネジメント情報複製領域の最初のブロックにはリードイン記録マネジメント情報（ＲＤＺリードイン）が記録される。次に、記録マネジメント情報複製領域の次の７ブロックには記録マネジメント情報（ＲＭＤ）を記録する領域が割り当てられている。１つのＲＭＤは３２の物理セクタで構成された１つのＰＳブロックに保存される。また、各物理セクタには物理セクタ番号（ＰＳＮ）というアドレスが設定されている。記録マネジメント情報複製領域にはこのＲＭＤが順次記録される。ここで、ＲＤＺリードインは光ディスク装置１２が記録マネジメント領域に最初にデータを記録する際に記録する情報である。この中には図８に示すように、記録を行う光ディスク装置１２の製造会社の識別番号である記録再生装置製造会社識別番号や、その装置のシリアル番号、モデル番号、ファームウエアバージョン番号が記録される。ディスク固有番号にはディスク識別用にディスク毎に固有な番号を光ディスク装置１２が記録する。